(57)【要約】  業務状況管理システムであって、業務は、複数の作業員が役割を分担して実施するものであり、業務状況管理システムは、複数の端末と、管理システムと、を備え、管理システムは、ログ情報を取得し、ログ情報に基づいて、業務の進捗状況を示す複数種類の指標値を計算し、端末に表示される指標値を含む指標画面表示指示を端末に送信し、端末は、指標画面表示指示に含まれる指標値を含む指標画面を表示し、指標画面に表示された指標値のうちいずれかの指標値の選択操作を受け付けた場合、指標値が選択操作されたことを示す指標値選択操作ログを管理システムに送信し、管理システムは、複数の端末から受信した指標値選択操作ログに基づいて、選択操作がされた指標値に対応する指標の総合有効性評価値を更新し、更新された総合有効性評価値に基づいて、複数の端末の指標画面に表示される指標を変更することを特徴とする。
2016079782.tif 000002
【特許請求の範囲】
【請求項１】
複数の作業員が役割を分担して実施する業務の状況を管理する業務状況管理システムであって、
前記業務状況管理システムは、
前記業務の状況を示す指標値を含む指標画面を表示する複数の端末と、
前記指標画面の表示指示である指標画面表示指示を前記端末に送信する管理システムと、を備え、
前記管理システムは、
前記指標値の種類を示す指標の前記複数の端末のユーザにとっての有効性が評価された総合有効性評価値が登録される指標管理情報を記憶しており、
前記複数の作業員の業務の状況に関するログ情報を取得し、
前記取得したログ情報に基づいて、複数種類の指標の指標値を計算し、
前記端末に表示される指標値を含む指標画面表示指示を前記端末に送信し、
前記端末は、
前記指標画面表示指示に含まれる指標値を含む指標画面を表示し、
前記指標画面に表示されたいずれかの指標値の選択操作を受け付けた場合、前記指標値が選択操作されたことを示す指標値選択操作ログを前記管理システムに送信し、
前記管理システムは、
前記複数の端末から受信した指標値選択操作ログに基づいて、前記選択操作がされた指標値の指標の総合有効性評価値を更新し、
前記更新された総合有効性評価値に基づいて、前記複数の端末の指標画面に表示される指標値を変更することを特徴とする業務状況管理システム。
【請求項２】
請求項１に記載の業務状況管理システムであって、
前記指標管理情報には警告を提示するための閾値が前記指標ごとに登録され、
前記管理システムは、前記指標管理情報を参照し、前記計算された指標値と当該指標値の指標に対応する閾値とに基づいて、当該指標値に前記警告を提示するか否かを判定し、
前記指標値に警告を提示する場合、前記警告を提示する旨を示す警告情報を前記指標画面表示指示に含めて前記端末に送信し、
前記端末は、
前記指標画面表示指示に前記警告情報が含まれる場合、前記警告を提示する指標値の前記警告を提示し、
前記管理システムは、前記指標値に対する警告の有無と当該指標値の選択操作の有無とに基づいて、当該指標値に対応する指標の前記閾値を変更することを特徴とする業務状況管理システム。
【請求項３】
請求項２に記載の業務状況管理システムであって、
前記管理システムは、
前記警告を提示していないにもかかわらず前記選択操作があった指標値の指標の閾値を、現在の指標値で前記警告を提示すると判定するように変更し、
前記警告を提示したにもかかわらず前記選択操作がない指標値の指標の閾値を、現在の指標値で前記警告を提示しないと判定するように変更することを特徴とする業務状況管理システム。
【請求項４】
請求項１に記載の業務状況管理システムであって、
前記指標管理情報には少なくとも一つの対処策が前記指標ごとに登録され、
前記管理システムは、
各対処策の有効性が評価された有効性評価値が登録された対処策管理情報を記憶しており、
前記指標値選択操作ログを受信した場合、前記指標管理情報を参照し、前記選択操作がされた指標値の指標に対応する対処策を選択し、
前記対処策管理情報を参照し、前記選択した対処策の有効性評価値を取得し、
前記選択した対処策及び前記取得した有効性評価値を含む対処策選択画面表示指示を前記端末に送信し、
前記端末は、
受信した対処策選択画面表示指示に含まれる対処策及び当該対処策の前記有効性評価値を含む対処策選択画面を表示し、
前記対処策選択画面に表示されたいずれかの対処策の選択操作を受け付けた場合、前記受け付けた対処策を実施し、
前記管理システムは、前記実施した対処策の実施結果に基づいて、前記実施した対処策の有効性評価値を更新することを特徴とする業務状況管理システム。
【請求項５】
請求項１に記載の業務状況管理システムであって、
前記管理システムは、
前記端末に表示される指標値の指標が前記複数の端末ごとに登録された指標画面条件情報を記憶しており、
一の端末に対応する前記指標画面条件情報に登録された指標を選択し、
前記一の端末に対応する指標画面条件情報に登録されていない指標を類似候補指標として選択し、
前記一の端末のユーザと前記類似候補指標が表示される他の端末のユーザとのユーザ類似度、及び、前記選択した指標と前記類似候補指標との指標類似度に基づいて、前記選択した指標と前記類似候補指標とが類似するか否かを判定し、
前記選択した指標と当該指標に類似すると判定された類似候補指標とを前記一の端末に表示させることを特徴とする業務状況管理システム。
【請求項６】
請求項５に記載の業務状況管理システムであって、
前記複数の端末のユーザは作業現場の複数の作業員を管理する現場監督者であり、
前記ユーザは、当該ユーザ用の分割ルールに基づいて、前記複数の作業員を分割して管理しており、
前記管理システムは、
前記ユーザ同士の分割ルールの共通性、又は前記ユーザの作業現場で実施される業務の共通性に基づいて、前記ユーザ類似度を計算し、
前記選択した指標を計算するために用いるログ情報の項目と前記類似候補指標を計算するために用いるログ情報の項目との共通性に基づいて、前記指標類似度を計算することを特徴とする業務状況管理システム。
【請求項７】
請求項１に記載の業務状況管理システムであって、
前記管理システムは、
前記端末に表示される指標値の指標が前記複数の端末ごとに登録された指標画面条件情報を記憶しており、
一の端末のユーザを選択し、
前記選択したユーザと他の端末のユーザとの類似度に基づいて、他の端末のユーザから推薦ユーザを選択し、
前記選択した推薦ユーザ、及び前記推薦ユーザの類似度を含む他指標推薦画面表示指示を前記一の端末に送信し、
前記一の端末は、
前記他指標推薦画面表示指示に含まれる前記推薦ユーザ、及び前記推薦ユーザの類似度を含む他指標推薦画面を表示し、
前記他指標推薦画面に表示されたいずれかの推薦ユーザの選択操作を受け付けた場合、前記受け付けた推薦ユーザの選択操作を示す推薦ユーザ選択操作ログを前記管理システムに送信し、
前記管理システムは、前記一の端末の指標画面条件情報を前記推薦ユーザ選択操作が示す選択操作がされた推薦ユーザの端末の指標画面条件情報に変更することによって、当該推薦ユーザの端末で表示される指標画面を前記一の端末が表示するように設定することを特徴とする業務状況管理システム。
【請求項８】
請求項７に記載の業務状況管理システムであって、
前記端末ごとの指標画面条件情報には、前記端末ごとの前記指標の有効性評価値が登録され、
前記管理システムは、
前記指標値選択操作ログを受信した場合、前記指標値選択操作ログを送信した端末の前記指標画面条件情報に登録された指標の有効性評価値のうち、前記指標値選択操作ログが示す選択操作がされた指標の有効性評価値を更新し、
前記複数の端末の指標画面条件情報に登録された有効性評価値の指標ごとの総和を前記各指標の総合有効性評価値とし、
前記他の端末の指標画面条件情報に登録された指標の有効性評価値の総和、及び前記一の端末のユーザと前記他の端末のユーザとの類似度に基づいて前記指標画面条件情報の推薦評価値を計算し、
計算された推薦評価値に基づいて、前記他の端末の指標画面条件情報から、前記他指標推薦画面に表示される指標画面条件情報を選択し、
前記選択された指標画面条件情報、及び当該指標画面条件情報の推薦評価値を前記他指標推薦画面表示指示に含めて前記一の端末に送信し、
前記一の端末は、
前記選択された指標画面条件情報、当該指標画面条件情報の推薦評価値を前記他指標推薦画面に含めて表示し、
前記他指標推薦画面に表示されたいずれかの指標画面条件情報の選択操作を受け付けた場合、前記受け付けた指標画面条件情報の選択操作を示す指標画面条件情報選択操作ログを前記管理システムに送信し、
前記管理システムは、前記一の端末の指標画面条件情報を前記選択操作がされた指標画面条件情報に変更することによって、前記選択操作がされた指標画面条件情報による指標画面を前記一の端末が表示するように設定することを特徴とする業務状況管理システム。
【請求項９】
請求項１に記載の業務状況管理システムであって、
前記複数の端末のユーザは作業現場の複数の作業員を管理する現場監督者であり、
前記業務状況管理システムは、前記複数のユーザを管理する総監督者がユーザとなる総監督者端末を備え、
前記管理システムは、前記総監督者が管理する全てのユーザの端末に送信する指標画面表示指示に含まれる情報を含む総監督者指標画面表示指示を、前記総監督者端末に送信し、
前記総監督者端末は、前記総監督者指標画面表示指示に基づいて、前記総監督は管理する全てのユーザの端末で表示される指標画面を含む総監督者指標画面を表示することを特徴とする業務状況管理システム。
【請求項１０】
計算機システムにおいて、複数の作業員が役割を分担して実施する業務の状況を管理する業務状況管理方法であって、
前記計算機システムは、
前記業務の状況を示す指標値を含む指標画面を表示する複数の端末と、
前記指標画面の表示指示である指標画面表示指示を前記端末に送信する管理システムと、を有し、
前記管理システムは、前記指標値の種類を示す指標の前記複数の端末のユーザにとっての有効性が評価された総合有効性評価値が登録される指標管理情報を記憶しており、
前記業務状況管理方法は、
前記管理システムが、前記複数の作業員の業務の状況に関するログ情報を取得し、
前記管理システムが、前記取得したログ情報に基づいて、複数種類の指標値を計算し、
前記管理システムが、前記端末に表示される指標値を含む指標画面表示指示を前記端末に送信し、
前記端末が、前記指標画面表示指示に含まれる指標値を含む指標画面を表示し、
前記端末が、前記指標画面に表示されたいずれかの指標値の選択操作を受け付けた場合、前記指標値が選択操作されたことを示す指標値選択操作ログを前記管理システムに送信し、
前記管理システムが、前記複数の端末から受信した指標値選択操作ログに基づいて、前記選択操作がされた指標値の指標の総合有効性評価値を更新し、
前記管理システムが、前記更新された総合有効性評価値に基づいて、前記複数の端末の指標画面に表示される指標値を変更することを特徴とする業務状況管理方法。
【請求項１１】
請求項１０に記載の業務状況管理方法であって、
前記指標管理情報には警告を提示するための閾値が前記指標ごとに登録され、
前記業務状況管理方法は、
前記管理システムが、前記指標管理情報を参照し、前記計算された指標値と当該指標値の指標に対応する閾値とに基づいて、当該指標値に前記警告を提示するか否かを判定し、
前記管理システムが、前記指標値に警告を提示する場合、前記警告を提示する旨を示す警告情報を前記指標画面表示指示に含めて前記端末に送信し、
前記端末が、前記指標画面表示指示に前記警告情報が含まれる場合、前記警告を提示する指標値の前記警告を提示し、
前記管理システムが、前記指標値に対する警告の有無と当該指標値に対する選択操作の有無とに基づいて、当該指標値の指標の前記閾値を変更することを特徴とする業務状況管理方法。
【請求項１２】
請求項１０に記載の業務状況管理方法であって、
前記管理システムは、前記端末に表示される指標値の指標が前記複数の端末ごとに登録された指標画面条件情報を記憶しており、
前記業務状況管理方法は、
前記管理システムが、一の端末に対応する前記指標画面条件情報に登録された指標を選択し、
前記管理システムが、前記一の端末に対応する指標画面条件情報に登録されていない指標を類似候補指標として選択し、
前記管理システムが、前記一の端末のユーザと前記類似候補指標が表示される他の端末のユーザとのユーザ類似度、及び、前記選択した指標と前記類似候補指標との指標類似度に基づいて、前記選択した指標と前記類似候補指標とが類似するか否かを判定し、
前記管理システムが、前記選択した指標と当該指標に類似すると判定された類似候補指標とを前記一の端末に表示させることを特徴とする業務状況管理方法。
【請求項１３】
請求項１０に記載の業務状況管理方法であって、
前記管理システムは、前記端末に表示される指標値の指標が前記複数の端末ごとに登録された指標画面条件情報を記憶しており、
前記業務状況管理方法は、
前記管理システムが、一の端末のユーザを選択し、
前記管理システムが、前記選択したユーザと他の端末のユーザとの類似度に基づいて、他の端末のユーザから推薦ユーザを選択し、
前記管理システムが、前記選択した推薦ユーザ、及び前記推薦ユーザの類似度を含む他指標推薦画面表示指示を前記一の端末に送信し、
前記一の端末が、前記他指標推薦画面表示指示に含まれる前記推薦ユーザ、及び前記推薦ユーザの類似度を含む他指標推薦画面を表示し、
前記一の端末が、前記他指標推薦画面に表示されたいずれかの推薦ユーザの選択操作を受け付けた場合、前記受け付けた推薦ユーザの選択操作を示す推薦ユーザ選択操作ログを前記管理システムに送信し、
前記管理システムが、前記一の端末の指標画面条件情報を前記推薦ユーザ選択操作が示す選択操作がされた推薦ユーザの端末の指標画面条件情報に変更することによって、当該推薦ユーザの端末で表示される指標画面を前記一の端末が表示するように設定することを特徴とする業務状況管理方法。
【請求項１４】
請求項１０に記載の業務状況管理方法であって、
前記複数の端末のユーザは作業現場の複数の作業員を管理する現場監督者であり、
前記計算機システムは、前記複数のユーザを管理する総監督者がユーザとなる総監督者端末を備え、
前記業務状況管理方法は、
前記管理システムが、前記総監督者が管理する全てのユーザの端末に送信する指標画面表示指示に含まれる情報を含む総監督者指標画面表示指示を、前記総監督者端末に送信し、
前記総監督者端末が、前記総監督者指標画面表示指示に基づいて、前記総監督は管理する全てのユーザの端末で表示される指標画面を含む総監督者指標画面を表示することを特徴とする業務状況管理方法。
【請求項１５】
複数の作業員が役割を分担して実施する業務の状況を示す指標値を含む指標画面を複数の端末に表示させる管理システムであって、
前記指標値の種類を示す指標の前記複数の端末のユーザにとっての有効性が評価された総合有効性評価値が登録される指標管理情報を記憶しており、
前記複数の作業員の業務の状況に関するログ情報を取得し、
前記取得したログ情報に基づいて、複数種類の指標の指標値を計算し、
前記端末に表示される指標値を含む指標画面を前記端末に表示させ、
前記指標画面に表示されたいずれかの指標値が選択操作されたことを示す指標値選択操作ログを前記端末から受信し、
前記複数の端末から受信した指標値選択操作ログに基づいて、前記選択操作がされた指標値の指標の総合有効性評価値を更新し、
前記更新された総合有効性評価値に基づいて、前記複数の端末の指標画面に表示される指標値を変更することを特徴とする管理システム。
【発明の詳細な説明】
【技術分野】
【０００１】
本発明は、業務状況を管理するシステムに関する。
【背景技術】
【０００２】
例えば、ダッシュボードと呼ばれる業務状況管理ツールでは、業務状況等（他には経営状況等がある）を示す指標値が表示され、当該指標値は周期的に更新される。特に、業務が危険状態にあることを指標値が示す場合、業務状況管理ツールは、警告を提示する。また、業務状況管理ツールは、必要に応じて、指標値のより詳細な情報を表示する機能（ドリルダウン）を有する。ドリルダウン機能を有する業務状況管理ツールの設計には、業務内容に関する知識及びノウハウが必要とされる。適切な指標値が表示されない場合、危険状態であることを検出できない可能性がある。また、業務内容に変更があった場合等に設計時点での指標が適切でなくなる可能性もある。【０００３】
このため、優先して表示する指標値を周期的に見直す技術として、特開２０１０−２３７９００号公報（以下、特許文献１という）がある。この公報には、「記憶装置に，利用者の担当業務の情報と過去に選択された分析条件の指定項目に関する情報を履歴データとして蓄積しておく。利用者に，分析条件の指定項目を指定させるための条件指定画面を編集するにあたって，最初に利用者の担当業務を特定し，特定した担当業務と同じ担当業務の利用者が所定の期間内に選択した条件の指定項目に係る分析データの参照回数を，履歴データ集計部によって各指定項目ごとに集計する。集計した参照回数を条件指定画面に埋め込んで表示する。さらに，分析データの表示の際に，他の分析条件に移行するための移行先条件指定画面を同様に表示する。」と記載されている（要約参照）。【０００４】
また、ユーザの現在状況に基づいて調整済みのアプリケーションを配信する技術として、特開２０１４−１１２３２１号公報（以下、特許文献２という）がある。この公報には、「通信端末でアプリケーションを使用する時のユーザの状況を予測する使用時状況予測手段と、前記使用時状況予測手段により予測される使用時状況と、前記通信端末から得られる前記ユーザの現在状況とに基づいて、前記アプリケーションの内容を調整する内容調整手段と、前記内容調整手段により得られる調整済みアプリケーションを前記通信端末に配信するアプリ配信手段とを有する。」と記載されている（要約参照）。【０００５】
また、端末を操作するユーザの熟練度に応じて、操作可能な端末の機能を増減させる技術として、国際公開第２０１０／０１０６５３号（以下、特許文献３という）がある。この公報には、「端末装置に対するユーザの使い方の遷移を予測するためのモデルを操作履歴から生成する。使い方クラスタ生成部は、複数の第１のユーザの端末装置に対する操作履歴情報に基づいて、操作履歴情報から算出される使い方の特徴を表す特徴量が似ているユーザ同士からなる複数のユーザ群を生成する。使い方遷移モデル生成部は、複数の第２のユーザの端末装置に対する操作履歴情報のそれぞれを分割した各分割区間の操作履歴情報毎に、操作履歴情報から算出される使い方の特徴を表す特徴量が複数のユーザ群の使い方特徴のうちの何れに類似するかを分析し、この分析結果に基づいてユーザ群間の遷移関係を表す使い方遷移モデルを生成する。」と記載されている（要約参照）。
【先行技術文献】
【特許文献】
【０００６】
【特許文献１】特開２０１０−２３７９００号公報
【特許文献２】特開２０１４−１１２３２１号公報
【特許文献３】国際公開第２０１０／０１０６５３号
【発明の概要】
【発明が解決しようとする課題】
【０００７】
特許文献１に記載された技術は個人の情報閲覧作業の効率を向上させるものであり、情報を閲覧するユーザの行動順序のみが考慮される。また、特許文献２に記載された技術も同様に個人の状態のみが考慮される。また、特許文献３に記載された技術は、端末自体に対する操作しか考慮していない。【０００８】
複数のユーザが役割を分担して作業を実施する業務では、個人の状態、及び特定の端末の操作のみを考慮して提示する指標値を選択しても、選択された指標値は業務にとって適切なものではない。【０００９】
本発明は、複数のユーザが役割を分担して作業を実施する業務において、適切な指標値を提示する業務状況管理システムを提供することを目的とする。
【課題を解決するための手段】
【００１０】
本発明の代表的な一例を示せば、複数の作業員が役割を分担して実施する業務の状況を管理する業務状況管理システムであって、前記業務状況管理システムは、前記業務の状況を示す指標値を含む指標画面を表示する複数の端末と、前記指標画面の表示指示である指標画面表示指示を前記端末に送信する管理システムと、を備え、前記管理システムは、前記指標値の種類を示す指標の前記複数の端末のユーザにとっての有効性が評価された総合有効性評価値が登録される指標管理情報を記憶しており、前記複数の作業員の業務の状況に関するログ情報を取得し、前記取得したログ情報に基づいて、複数種類の指標の指標値を計算し、前記端末に表示される指標値を含む指標画面表示指示を前記端末に送信し、前記端末は、前記指標画面表示指示に含まれる指標値を含む指標画面を表示し、前記指標画面に表示されたいずれかの指標値の選択操作を受け付けた場合、前記指標値が選択操作されたことを示す指標値選択操作ログを前記管理システムに送信し、前記管理システムは、前記複数の端末から受信した指標値選択操作ログに基づいて、前記選択操作がされた指標値の指標の総合有効性評価値を更新し、前記更新された総合有効性評価値に基づいて、前記複数の端末の指標画面に表示される指標値を変更することを特徴とする。
【発明の効果】
【００１１】
本願において開示される発明のうち代表的なものによって得られる効果を簡潔に説明すれば、下記の通りである。すなわち、複数のユーザが役割を分担して作業を実施する業務において、適切な指標値を提示する業務状況管理システムを提供できる。【００１２】
上記した以外の課題、構成、及び効果は、以下の実施形態の説明により明らかにされる。
【図面の簡単な説明】
【００１３】
【図１】実施例１の計算機システムの説明図である。
【図２】実施例１の業務を実際に行う現場の説明図である。
【図３】実施例１の業務管理システム、総監督者端末、及び業務効率分析システムをそれぞれ実装する各計算機のハードウェア構成図である。
【図４】実施例１の作業員携帯端末及び現場監督者携帯端末をそれぞれ実装する各端末のハードウェア構成図である。
【図５】実施例１の業務管理テーブルの説明図である。
【図６】実施例１の人員マスタテーブルの説明図である。
【図７】実施例１の指標管理データの説明図である。
【図８】実施例１の指標画面条件データの説明図である。
【図９】実施例１の対処策管理データの説明図である。
【図１０】実施例１の対処策実施ログの説明図である。
【図１１】実施例１の全体的な処理のシーケンス図である。
【図１２】実施例１の指標画面の説明図である。
【図１３】実施例１の詳細画面の説明図である。
【図１４】実施例１の対処策選択画面の説明図である。
【図１５】実施例１の過去実施結果画面の説明図である。
【図１６】実施例１のシミュレーション比較画面の説明図である。
【図１７】実施例１の対処策実施サポート画面の説明図である。
【図１８】実施例１の指標値計算処理のフローチャートである。
【図１９】実施例１の対処策実施予測値算出処理のフローチャートである。
【図２０】実施例１のパラメータ更新処理のフローチャートである。
【図２１】実施例２の変更推薦処理のフローチャートである。
【図２２】実施例２の類似指標決定処理のフローチャートである。
【図２３】実施例３の他指標推薦処理のフローチャートである。
【図２４】実施例３の他指標推薦画面の説明図である。
【図２５】実施例４の総監督者指標画面の説明図である。
【図２６】実施例４の課題条件確認画面の説明図である。
【発明を実施するための形態】
【実施例１】
【００１４】
実施例１について、図１〜図２０を用いて説明する。【００１５】
図１は、実施例１の計算機システムの説明図である。【００１６】
本実施例の計算機システムは、複数の人間と機器とを用いて実施される業務を支援するものであり、業務管理システム１１０、業務機器１１１Ａ〜１１１Ｃ（以下、総称する場合には業務機器１１１と記載する）、業務効率分析システム１２０、作業員携帯端末１４０Ａ〜１４０Ｄ（以下、総称する場合には作業員携帯端末１４０と記載する）、現場監督者携帯端末１５０Ａ及び１５０Ｂ（以下、総称する場合には現場監督者携帯端末１５０）、総監督者端末１６０、並びにデータベース７２０及び７２０を備える。【００１７】
業務について説明する。業務は、作業員によって作業の対象物に作業が実施される複数のタスクを組み合わせて遂行される手続きであり、注文内容に応じて作業員が連携して複数のタスクを遂行し、締め切り日時までに注文された業務を終了する必要があるものである。【００１８】
例えば、業務が、第１タスク、第２タスク、及び第３タスクを含む場合、第１タスクでは、ある対象物が入力され、入力された対象物に第１タスクに対応する作業が実施され、第２タスクでは、第１タスクに対応する作業が実施された対象物に第２タスクに対応する作業が実施され、第３タスクでは、第２タスクに対応する作業が実施された対象物に第３タスクに対応する作業が実施され、当該対象物を最終成果物として出力する。第３タスクの作業が注文された全ての対象物に実施されると業務が終了する。【００１９】
したがって、業務のフローは、対象物の入力を受け付けるタスクと最終成果物を出力するタスクとの間を、少なくとも一つの中間タスクで連結した形式で表現される。また、業務は複数のタスクを含み、複数の業務が並列で実施されるため、各作業が異なる作業場所で実施される。【００２０】
業務管理システム１１０は、業務の各タスクを遂行するために必要な情報を管理し、業務機器１１１の動作を制御する。例えば、業務管理システム１１０は、各タスクにおいて作業員が必要とする情報等を業務機器１１１を介して作業員に提示する。【００２１】
業務機器１１１Ａはバーコードリーダ等であり、業務管理システム１１０は業務機器１１１Ａの表示部に文字を表示させることができる。また、業務機器１１１Ｂはプリンタ等であり、業務管理システム１１０は業務機器１１１Ｂから伝票紙面及び作業指示紙面等を出力できる。また、業務機器１１１Ｃはスピーカ等であり、業務管理システム１１０は業務機器１１１Ｃから音声を出力できる。【００２２】
また、業務管理システム１１０は、終了した作業と当該終了した作業の作業員との関係、及び注文状況等を示すログ情報をデータベース６１０に記憶する。作業の終了が例えばバーコードリーダ等の業務機器１１１によって把握されるタスクでは、当該業務機器１１１が終了状況を把握し、把握した終了状況を示すログ情報を業務管理システム１１０に送信し、業務管理システム１１０は、受信したログ情報をデータベース６１０に登録する。なお、終了状況が業務機器１１１によって把握されないタスクでは、現場監督者１０２Ａ及び１０２Ｂ（以下、総称する場合には現場監督者１０２）等が当該タスクの終了状況を目視又は口頭で把握し、把握したタスクの終了状況を業務管理システム１１０に入力し、業務管理システム１１０は、入力された終了状況を示すログ情報をデータベース６１０に登録する。【００２３】
また、業務管理システム１１０は、作業員携帯端末１４０及び現場監督者携帯端末１５０に作業実施タイミング及び作業実施手順を提示してもよい。【００２４】
業務効率分析システム１２０は、業務管理システム１１０によってデータベース６１０に登録されたログ情報に基づいて、業務の状況を示す複数の指標値を計算し、計算した指標値を含む指標画面１２００を現場監督者携帯端末１５０に表示させるスクリプトを生成し、生成したスクリプトを現場監督者携帯端末１５０に送信する。なお、業務効率分析システム１２０は、作業員携帯端末１４０又は現場監督者携帯端末１５０からログ情報を取得してもよい。【００２５】
作業員携帯端末１４０は、業務を構成する各タスクの作業を実際に行う作業員１０３Ａ〜１０３Ｄ（以下、総称する場合には作業員１０３と記載する）が携帯する端末である。【００２６】
現場監督者携帯端末１５０は、少なくとも一つのタスクを管理する現場監督者１０２が携帯する端末である。現場監督者携帯端末１５０には、業務の状況を示す指標画面１２００が表示される。【００２７】
総監督者端末１６０は、総監督者１０１が全体状況を確認するための画面を表示する。総監督者１０１は、総監督者端末１６０に表示された画面を確認し、各現場監督者１０２に指示をする。【００２８】
ここで、業務効率分析システム１２０の指標値の計算処理について説明する。本実施例では、業務効率分析システム１２０は、複数種類の指標値を計算する。指標値の種類としては、作業進捗指標、生産性指標、収支関連指標、環境指標、対象作業関連指標、行動関連指標、汎用関連指標、及びメタ指標等がある。【００２９】
作業進捗指標は、締め切り日時までに作業を終了するための作業量データの動向を確認するためのデータである。また、生産性指標は、単位時間内に実施可能な作業量を確認するためのデータである。収支関連指標は、業務の収支を確認するためのデータである。環境指標は、作業の円滑に実施する上で阻害要因となり得る環境の変化状況を確認するためのデータである。対象作業関連指標は、当該指標値を計算した日における作業の性質及び特殊性等を確認するためのデータである。行動関連指標は、作業員１０３の行動に関するデータである。汎用関連指標は、作業進捗指標、生産性指標、収支関連指標、環境指標、対象作業関連指標、及び行動関連指標以外を表現したデータである。メタ指標は、他の指標の指標値に対して数値演算処理を実行した結果である。【００３０】
図２は、実施例１の業務を実際に行う現場の説明図である。【００３１】
業務は複数のタスクを含み、並列に作業が行われるタスクも存在するので、各タスクの作業は異なるエリア２００Ａ〜２００Ｃで行われ得る。【００３２】
エリア２００Ａは現場監督者１０２Ａが管理するエリアであり、作業員１０３Ａ〜１０３Ｃが現場監督者１０２Ａの指示に基づいて作業を対象物に実施する。エリア２００Ａには作業員のタスクの終了状況を自動的に把握する業務機器１１１が配置されないため、現場監督者１０２Ａが各作業員のタスクの終了状況を把握して、現場監督者携帯端末１５０Ａを介して終了状況を示すログ情報を業務管理システム１１０に送信してもよい。なお、現場監督者１０２Ａは、現場監督者携帯端末１５０Ａを携帯し、作業員１０３Ａ〜１０３Ｃは作業員携帯端末１４０Ａ〜１４０Ｃを携帯する。【００３３】
また、エリア２００Ｂは現場監督者１０２Ｂが管理するエリアであり、作業員１０３Ｄ及び１０３Ｅが現場監督者１０２Ｂの指示に基づいて作業を対象物に実施する。エリア２００Ｂには各作業員１０３の作業場所に業務機器１１１が配置され、各業務機器１１１が各作業員１０３の終了状況を把握し、ログ情報を業務管理システム１１０に送信する。なお、現場監督者１０２Ｂは、現場監督者携帯端末１５０Ｂを携帯し、作業員１０３Ｄ及び１０３Ｅは作業員携帯端末１４０Ｄ及び１４０Ｅを携帯する。【００３４】
また、エリア２００Ｃは現場監督者１０２Ｃが管理するエリアであり、作業員１０３Ｆ及び作業員１０３Ｇが現場監督者１０２Ｃの指示に基づいて作業を対象物に実施する。エリア２００Ｃには業務機器１１１が配置され、当該業務機器１１１は、複数の作業員１０３の終了状況を把握し、ログ情報を業務管理システム１１０に送信する。なお、現場監督者１０２Ｃは、現場監督者携帯端末１５０Ｃを携帯し、作業員１０３Ｆ及び１０３Ｇは作業員携帯端末１４０Ｆ及び１４０Ｇを携帯する。【００３５】
総監督者１０１は、各エリアの終了状況が表示された総監督者端末１６０を確認することによって、現場監督者１０２及び作業員１０３の動向を確認する。そして、総監督者１０１は、全体が最適となるように各エリアの現場監督者１０２に指示をする。【００３６】
図２では、一人の現場監督者１０２が一つのエリアを管理するとしたが、複数人の現場監督者１０２が一つのエリアを管理してもよいし、一人の現場監督者１０２が複数のエリアを管理してもよい。【００３７】
図３は、実施例１の業務管理システム１１０、総監督者端末１６０、及び業務効率分析システム１２０をそれぞれ実装する各計算機のハードウェア構成図である。【００３８】
各計算機は、ＣＰＵ３０１、ネットワークインタフェース（Ｉ／Ｆ）３０２、入力デバイス３０３、主記憶装置（メモリ）３０４、及び補助記憶装置３０５を備える。【００３９】
ＣＰＵ３０１は、各種演算処理を実行する。ネットワークインタフェース３０２は、ネットワーク１７０に接続するインタフェースである。入力デバイス３０３は、キーボード又はマウス等である。補助記憶装置３０５は非揮発性の非一時的な記憶媒体であり、各種プログラム及び各種データが記憶される。主記憶装置３０４は揮発性の一時的な記憶媒体であり、主記憶装置３０４には、補助記憶装置３０５に記憶された各種プログラム及び各種データがロードされ、ＣＰＵ３０１が主記憶装置３０４にロードされた各種プログラムを実行し、主記憶装置３０４にロードされた各種データを読み書きする。【００４０】
図４は、実施例１の作業員携帯端末１４０及び現場監督者携帯端末１５０をそれぞれ実装する各端末のハードウェア構成図である。【００４１】
各端末は、ＣＰＵ４０１、ネットワークインタフェースＩ／Ｆ４０２、入力デバイス４０３、加速度センサ４０４、位置計測装置４０５、主記憶装置４０６、補助記憶装置４０７、外部記憶媒体４０８、出力デバイス４０９、及びカメラ４１０を備える。【００４２】
ＣＰＵ４０１は、各種演算処理を実行する。ネットワークインタフェース４０２は、ネットワーク１７０に接続するインタフェースである。入力デバイス４０３及び出力デバイス４０９は、例えば、タッチパネル等のディスプレイである。入力デバイス４０３及び出力デバイス４０９はタッチパネル等のディスプレイでなくてもよく、入力デバイス４０３は複数のボタンによって構成され、出力デバイス４０９は単なるディスプレイであってもよい。加速度センサ４０４は、加速度を計測するセンサである。位置計測装置４０５は、端末の位置を計測する装置である。【００４３】
補助記憶装置４０７は非揮発性の非一時的な記憶媒体であり、各種プログラム及び各種データが記憶される。主記憶装置４０６は揮発性の一時的な記憶媒体であり、主記憶装置４０６には、補助記憶装置４０７に記憶された各種プログラム及び各種データがロードされ、ＣＰＵ４０１が主記憶装置４０６にロードされた各種プログラムを実行し、主記憶装置４０６にロードされた各種データを読み書きする。【００４４】
図５は、実施例１の業務管理テーブル５００の説明図である。【００４５】
業務管理テーブル５００はデータベース６１０に記憶され、業務管理テーブル５００には、業務に含まれる各タスクに関する情報が登録される。【００４６】
業務管理テーブル５００は、タスクＩＤ５０１、作業種類５０２、実施場所５０３、平均所要時間５０５、頻度５０６、生産性分散５０７、従事人数５０８、及び使用機器５０９を含む。【００４７】
タスクＩＤ５０１には各タスクの識別情報が登録される。作業種類５０２には、各タスクにおいて実施される作業の種類を示す情報が登録される。実施場所５０３には、各タスクの作業が実施されるエリアの識別情報が登録される。前提作業５０４には、各タスクの作業が実施される前に完了している必要があるタスクの作業の種類を示す情報が登録される。平均所要時間５０５には、各タスクの作業の実施にかかる時間の平均値が登録される。頻度５０６には、各タスクの作業が１日に実施される頻度が登録される。生産性分散５０７には、各タスクの生産性を示す値の分散が登録される。従事人数５０８には、各タスクの作業を実施する作業員の人数が登録される。使用機器５０９には、各タスクで使用される業務機器１１１の種類が登録される。【００４８】
業務管理テーブル５００は、図５に示す全ての項目を含まなくてもよく、他の項目を含んでもよい。【００４９】
図６は、実施例１の人員マスタテーブル６００の説明図である。【００５０】
人員マスタテーブル６００はデータベース６１０に記憶され、人員マスタテーブル６００には、現場監督者１０２及び作業員１０３となる作業員に関する情報が登録される。【００５１】
人員マスタテーブル６００は、作業員ＩＤ６０１、役割６０２、作業場所６０３、対象タスクＩＤ６０４、対象期間６０５、開始時刻６０６及び終了時刻６０７を含む。【００５２】
作業員ＩＤ６０１には、現場監督者１０２又は作業員１０３の識別情報が登録される。役割６０２は、各作業員の役割を示す情報、すなわち現場監督者１０２であるか作業員１０３であるかを識別するための情報が登録される。作業場所６０３には、各作業員が作業を実施するエリアの識別情報が登録される。対象タスクＩＤ６０４には、各作業員が担当するタスクの識別情報が登録される。対象期間６０５には、各作業員が対象タスクＩＤ６０４に登録された識別情報によって識別されるタスクを担当する期間が登録される。開始時刻６０６には、各作業員のタスクを開始した時刻が登録される。終了時刻６０７には、各作業員のタスクを終了した時刻が登録される。【００５３】
なお、業務効率分析システム１２０は、作業場所別及びチーム別などの職場管理単位、作業員１０３の能力単位、又は対処策を実施した作業員１０３単位等に基づいて、作業員１０３をグループ化して、人員マスタテーブル６００に登録してもよい。【００５４】
図７は、実施例１の指標管理データ７００の説明図である。【００５５】
指標管理データ７００はデータベース７２０に記憶され、業務効率分析システム１２０によって参照される。指標管理データ７００には業務効率分析システム１２０が計算する指標に関する情報が登録される。【００５６】
指標管理データ７００は、指標ＩＤ７０１、指標計算スクリプトリンク７０２、指標引数データリスト７０３、包含指標群７０４、因果指標群７０５、相関指標群７０６、指標時系列データ７０７、緊急性評価閾値７０８、警告対処状況７０９、表示画面スクリプトリンク７１０、有効性評価値７１１、関連タスクリスト７１２、及び対処策７１３を含む。【００５７】
指標ＩＤ７０１には、指標の識別情報が登録される。本実施例の指標管理データでは、同じスクリプトを用いて計算される指標であっても、入力されるデータの種類が異なる場合には、これらの指標には異なる識別情報が付与される。【００５８】
指標計算スクリプトリンク７０２には、指標を計算するためのスクリプトへのリンクが登録される。例えば、指標は、業務の進捗状況を示す値、業務の生産性を示す値、及びこれらの値に基づいて算出される値である。指標引数データリスト７０３には、指標を計算する場合に引数として入力するデータであり、データベース６１０に記憶されたログ情報から呼び出すデータが登録される。【００５９】
例えば、作業進捗指標、及び生産性指標の指標引数データリスト７０３には、業務に含まれるタスクＩＤ、呼び出しの対象となる期間、及び単位系等が登録される。また、収支関連指標の指標引数データリスト７０３には、業務に含まれるタスクＩＤ、及び呼び出しの対象となる期間が登録される。【００６０】
また別の例として、メタレベル指標では、他の指標ＩＤが引数として入力され、数値演算処理の実行結果が新たな指標として返される。この場合、メタレベル指標の指標引数データリスト７０３には、他の指標ＩＤ及び現在時刻から他の指標が計算された時刻の差が登録される。【００６１】
包含指標群７０４には、各指標の評価に含まれる指標の識別情報のリストが登録される。例えば、同じスクリプトによって計算される第１指標〜第３指標があるとすると、第１指標が計算の対象とするログ情報の範囲が、第２指標が計算の対象とするログ情報の範囲と第３指標が計算の対象とするログ情報の範囲とを合わせた範囲である場合、第１指標の包含指標群７０４には、第２指標の識別情報及び第３指標の識別情報が登録される。【００６２】
因果指標群７０５には、各指標と因果関係がある指標の識別情報のリストが登録される。相関指標群７０６には、各指標と相関関係がある指標の識別情報のリストが登録される。【００６３】
指標時系列データ７０７には、各指標の時系列変化が登録される。具体的には、指標時系列データ７０７には、指標を計算した時刻と計算された指標とからなるペアがリスト構造で登録される。【００６４】
緊急性評価閾値７０８には、指標の緊急性を評価するための区間が登録される。例えば、緊急性評価閾値７０８には緊急性を評価するための複数の区間が登録され、各区間は警告レベルを示す値に対応付けられる。本実施例では、緊急性評価閾値７０８には、警告レベル１に対応する区間、及び警告レベル２に対応する区間が登録される。警告レベル１は、図１３に示す詳細画面１３００を確認する旨の警告である。警告レベル２は、対処策を実施する旨の警告である。【００６５】
警告対処状況７０９には、現場監督者１０２が実施している対処策の状況が登録される。表示画面スクリプトリンク７１０には、指標画面１２００を現場監督者携帯端末１５０に表示させるスクリプト及び当該指標画面１２００のテンプレートへのリンクが登録される。有効性評価値７１１には、各指標の有効性を評価した値が登録される。【００６６】
関連タスクリスト７１２には、各指標に関連があるタスクの識別情報が登録される。対処策７１３には、各指標に対応する対処策の識別情報が登録される。【００６７】
図８は、実施例１の指標画面条件データ８００の説明図である。【００６８】
指標画面条件データ８００はデータベース７２０に記憶され、業務効率分析システム１２０が指標画面１２００を現場監督者携帯端末１５０又は総監督者端末１６０に表示させるスクリプトを生成する場合に参照する。指標画面条件データ８００は、指標画面１２００を表示する監督者の端末毎に設定される。【００６９】
指標画面条件データ８００は、監督者ＩＤ８０１、作業場所ＩＤ８０２、権限区分８０３、及び指標詳細データ８０４を含む。【００７０】
監督者ＩＤ８０１には、監督者の識別情報が登録される。作業場所ＩＤ８０２には、監督者が監督する作業場所の識別情報が登録される。権限区分８０３には、監督者の権限の区分が登録される。例えば、権限区分８０３には、監督者が現場監督者１０２であるか総監督者１０１であるかを示す情報が登録される。【００７１】
指標詳細データ８０４には、指標画面１２００で表示される指標に関する情報が登録される。具体的には、指標詳細データ８０４は、指標ＩＤ８１１、お気に入り選択中８１２、お勧め指標８１３、過去閲覧履歴リスト８１４、対処策実施履歴８１５、閲覧評価値８１６、及び関連指標データ８１７を含む。【００７２】
指標ＩＤ８１１には、監督者が指標画面１２００で過去にお気に入りに登録したことのある指標、及びお勧め指標の識別情報が登録される。お気に入り選択中８１２には、指標ＩＤ８１１に登録された識別情報によって識別される指標が現時点でお気に入りに登録されているか否かを示す情報が登録される。お勧め指標８１３には、お勧め指標に選択されている否かを示す情報が登録される。【００７３】
過去閲覧履歴リスト８１４には、指標ＩＤ８１１に登録された識別情報によって識別される指標の詳細画面が閲覧された回数が登録される。対処策実施履歴８１５には、指標ＩＤ８１１に登録された識別情報によって識別される指標の対処策が実施され回数が登録される。閲覧評価値８１６には、指標ＩＤ８１１に登録された識別情報によって識別される指標の評価値が登録される。閲覧評価値８１６は、指標ＩＤ８１１に登録された識別情報によって識別される指標が指標画面１２００に表示されることの有用性を示す値であり、例えば、過去閲覧履歴リスト８１４に登録された回数と対処策実施履歴８１５に登録された回数とを加算した値である。関連指標データ８１７には、指標ＩＤ８１１に登録された識別情報によって識別される指標に関連する指標に関する情報が登録される。【００７４】
関連指標データ８１７は、関連指標ＩＤ８２１、過去閲覧履歴リスト８２２、及び選択種別８２３を含む。関連指標ＩＤ８２１には、指標ＩＤ８１１に登録された識別情報によって識別される指標に関連する指標の識別情報が登録される。過去閲覧履歴リスト８２２には、関連指標ＩＤ８２１に登録された識別情報によって識別される指標の詳細画面が閲覧された回数が登録される。選択種別８２３には、関連指標ＩＤ８２１に登録された識別情報によって識別される指標が監督者によって関連指標として選択されたか予め関連指標に設定されていたか否かを示す情報が登録される。【００７５】
なお、データベース７２０には、全ての現場監督者携帯端末１５０の指標画面条件データ８００が記憶される。また、各現場監督者携帯端末１５０は、自身の指標画面条件データ８００を記憶している。【００７６】
各現場監督者携帯端末１５０は、指標画面条件データ８００を編集可能であり、当該指標画面条件データ８００が変更された場合、変更された旨を業務効率分析システム１２０に通知する。業務効率分析システム１２０は、データベース７２０に記憶された指標画面条件データ８００を変更後の現場監督者携帯端末１５０の指標画面条件データ８００に更新する。【００７７】
また、業務効率分析システム１２０は、データベース７２０に記憶されたある現場監督者携帯端末１５０の指標画面条件データ８００を変更した場合、当該現場監督者携帯端末１５０にその旨を通知し、当該現場監督者携帯端末１５０の指標画面条件データ８００を、変更後の指標画面条件データ８００に更新する。【００７８】
図９は、実施例１の対処策管理データ９００の説明図である。【００７９】
対処策管理データ９００はデータベース７２０に記憶され、業務効率分析システム１２０が対処策選択画面データを生成する場合に参照される。対処策管理データ９００にはエリアにて実施される対処策に関する情報が登録される。【００８０】
対処策管理データ９００は、対処策ＩＤ９０１、必要条件確認スクリプトリンク９０２、現状効果予測スクリプトリンク９０３、終了条件管理スクリプトリンク９０４、副作用確認スクリプトリンク９０５、実行時サポート画面用スクリプトリンク９０６、終了時サポート画面用スクリプトリンク９０７、及び対処策有効性評価値９０８を含む。【００８１】
対処策ＩＤ９０１には、各対処策の識別情報が登録される。必要条件確認スクリプトリンク９０２には、現在のログ情報に基づいて対処策を実施可能な条件が成立しているか否かを確認するスクリプトへのリンクが登録される。現状効果予測スクリプトリンク９０３には、現在のログ情報に基づいて対処策を実施した場合の効果を予測するスクリプトへのリンクが登録される。終了条件管理スクリプトリンク９０４には、対処策の終了条件を管理するスクリプトへのリンクが登録される。副作用確認スクリプトリンク９０５には、対処策が実施されることによって副作用として生まれる悪影響を定量的に確認するスクリプトへのリンクが登録される。【００８２】
実行時サポート画面用スクリプトリンク９０６には、対処策を実施する場合に現場監督者携帯端末１５０に表示される実行時サポート画面を生成するスクリプトへのリンクが登録される。終了時サポート画面用スクリプトリンク９０７には、対処策を終了する場合に現場監督者携帯端末１５０に表示される終了時サポート画面を生成するスクリプトへのリンクが登録される。対処策有効性評価値９０８には、各対処策の有効性を評価する値が登録される。【００８３】
図１０は、実施例１の対処策実施ログ１０００の説明図である。【００８４】
対処策実施ログ１０００はデータベース７２０に記憶され、対処策が実施されるたびに更新される。【００８５】
対処策実施ログ１０００は、指標ＩＤ１００１、日時情報１００２、対処策ＩＤ１００３、対処策実行判断者１００４、対処策実行指示者１００５、対処策開始時刻１００６、対処策開始時指標データ値１００７、対処策終了時刻１００８、対処策終了時指標データ値１００９、指示実行過程ログ１０１０、及び対処策効果評価値１０１１を含む。【００８６】
指標ＩＤ１００１には、対処策が実施された指標の識別情報が登録される。日時情報１００２には、対処策が実施された日時が登録される。対処策実行判断者１００４には、対処策の実施を判断した監督者の識別情報が登録される。対処策実行指示者１００５には、対処策の実施を指示する監督者の識別情報が登録される。【００８７】
対処策開始時刻１００６には、対処策の実施が開始された時刻が登録される。対処策開始時指標データ値１００７には、対処策の実施が開始された時の指標値が登録される。対処策終了時刻１００８には、対処策の実施が終了した時刻が登録される。対処策終了時指標データ値１００９には、対処策の実施が終了した時の指標値が登録される。【００８８】
指示実行過程ログ１０１０には、実施された対処策に含まれる各工程に関するログが登録される。指示実行過程ログ１０１０は、工程番号１０２１、実施者１０２２、及び実施時刻１０２３を含む。工程番号１０２１には、実施された対処策に含まれる工程の番号が登録される。実施者１０２２には、実施された対処策を実施した監督者又は作業員１０３の識別情報が登録される。実施時刻１０２３には、対処策に含まれる工程が実施された時刻が登録される。【００８９】
対処策効果評価値１０１１には、実施された対処策の効果の評価値が登録される。対処策効果評価値１０１１は、評価者ＩＤ１０３１及び評価値１０３２を含む。評価者ＩＤ１０３１には対処策の評価値を評価した監督者の識別情報が登録される。評価値１０３２には、評価者ＩＤ１０３１に登録された識別情報によって識別される監督者が評価した評価値が登録される。【００９０】
次に、本実施例の全体的な処理について図１１を用いて説明する。図１１は、実施例１の全体的な処理のシーケンス図である。【００９１】
まず、業務効率分析システム１２０は、所定のタイミングで指標値を計算し（１１０１）、計算した指標値を含む指標画面１２００を現場監督者携帯端末１５０に表示させるための指標画面データ（指標画面表示指示）を現場監督者携帯端末１５０に送信する（１１０２）。指標画面データは、指標画面１２００を表示するためのプログラム、業務効率分析システム１２０が計算した指標値、及び各指標値の警告レベルを含む。なお、指標値の計算処理は、図１８で詳細を説明する。また、所定のタイミングは、現場監督者携帯端末１５０から表示要求を受信した場合であってもよいし、所定の時間になった場合であってもよいし、前回指標値を計算してから所定時間が経過した場合であってもよい。【００９２】
現場監督者携帯端末１５０は、指標画面データを受信した場合、受信した指標画面データに含まれるプログラムを起動し、受信した指標画面データ及び指標画面条件データ８００に基づいて、指標画面１２００を表示する（１１０３）。【００９３】
ここで、指標画面１２００について図１２を用いて説明する。図１２は、実施例１の指標画面１２００の説明図である。【００９４】
指標画面１２００は、お気に入り指標表示領域１２１０、お勧め指標表示領域１２２０、指標追加ボタン１２３１、及び閉じるボタン１２３２を含む。【００９５】
お気に入り指標表示領域１２１０は、お気に入りに現在追加中の指標に関する情報が表示される。お気に入り指標表示領域１２１０は、アラーム表示領域１２１１、指標識別情報表示領域１２１２、及び指標値表示領域１２１３を含む。【００９６】
アラーム表示領域１２１１には指標の警告レベルが表示される。指標の警告レベルは、業務効率分析システム１２０から送信される指標画面データに含まれる。例えば、指標の警告レベルはアラーム表示領域１２１１に表示される色によって表現される。図１２では、警告レベルが高いほどアラーム表示領域１２１１に表示される色が濃くなり、黒塗りされたアラーム表示領域１２１１は警告レベル２であることを示し、点で塗られたアラーム表示領域１２１１は警告レベル１であることを示し、白塗りされたアラーム表示領域１２１１は警告なしであることを示す。なお、警告レベルは、色、線の太さ、点滅、画面上のサイズ、又は指標の表示順序によって現場監督者１０２に提示されてもよい。また、警告レベルが閾値以上である場合、現場監督者携帯端末１５０は、音声を出力したり、又は現場監督者携帯端末１５０を振動させ、その旨を現場監督者１０２に報知してもよい。【００９７】
指標識別情報表示領域１２１２には、お気に入りに現在追加中の指標の識別情報が表示される。指標値表示領域１２１３には、お気に入りに現在追加中の指標値が表示される。【００９８】
お勧め指標表示領域１２２０には、現場監督者１０２にお勧めの指標に関する情報が表示される。お勧め指標表示領域１２２０は、アラーム表示領域１２２１、指標識別情報表示領域１２２２、及び指標値表示領域１２２３を含む。アラーム表示領域１２２１、指標識別情報表示領域１２２２、及び指標値表示領域１２２３は、それぞれアラーム表示領域１２１１、指標識別情報表示領域１２１２、及び指標値表示領域１２１３と同じなので、説明を省略する。【００９９】
指標追加ボタン１２３１が操作されると、お気に入りに現在追加されていない指標の識別情報を含む指標リストが表示される。指標リストから少なくとも一つの指標の識別情報が選択された場合、現場監督者携帯端末１５０は、自身の指標画面条件データ８００のお気に入りに当該指標を追加し、指標追加操作ログを業務効率分析システム１２０に送信する（図１１  １１０４）。また、閉じるボタン１２３２が操作された場合、指標画面１２００を閉じる。【０１００】
お気に入り指標表示領域１２１０又はお勧め指標表示領域１２２０に表示された指標に関するエントリが選択された場合、現場監督者携帯端末１５０は、図１３に示す詳細画面を表示し、詳細画面表示操作ログを業務効率分析システム１２０に送信する（図１１  １１０５）。また、現場監督者携帯端末１５０は、自身の指標画面条件データ８００の指標ＩＤ８１１に操作された指標の識別情報が登録されたレコードの過去閲覧履歴リスト８１４の回数に１を加算する。【０１０１】
図１３は、実施例１の詳細画面１３００の説明図である。【０１０２】
詳細画面１３００は、基本指標情報表示領域１３０１、指標値時系列グラフ１３０２、関連指標表示領域１３１０、相関指標表示領域１３２０、対処ボタン１３３１、戻るボタン１３３２、及び削除ボタン１３３３を含む。【０１０３】
基本指標情報表示領域１３０１には、指標画面１２００で選択された指標の値が表示される。指標値時系列グラフ１３０２には、指標画面１２００で選択された指標の値の時系列的変化を示すグラフが表示される。【０１０４】
関連指標表示領域１３１０には、指標画面１２００で選択された指標に関連する指標（関連指標）に関する情報が表示される。関連指標表示領域１３１０は、アラーム表示領域１３１１、指標識別情報表示領域１３１２、及び指標値表示領域１３１３を含む。アラーム表示領域１３１１、指標識別情報表示領域１３１２、及び指標値表示領域１３１３は、それぞれアラーム表示領域１２１１、指標識別情報表示領域１２１２、及び指標値表示領域１２１３と同じなので、説明を省略する。【０１０５】
相関指標表示領域１３２０には、指標画面１２００で選択された指標に相関する指標（相関指標）に関する情報が表示される。相関指標表示領域１３２０は、アラーム表示領域１３２１、指標識別情報表示領域１３２２、及び指標値表示領域１３２３を含む。アラーム表示領域１３２１、指標識別情報表示領域１３２２、及び指標値表示領域１３２３は、それぞれアラーム表示領域１２１１、指標識別情報表示領域１２１２、及び指標値表示領域１２１３と同じなので、説明を省略する。【０１０６】
なお、関連指標は、指標画面条件データ８００の関連指標ＩＤ８２１に登録されている。また、ある指標に相関する相関指標は、指標ごとに図７に示す指標管理データ７００に登録されている。【０１０７】
対処ボタン１３３１が操作された場合、現場監督者携帯端末１５０は、対処策実施操作決定ログを業務効率分析システム１２０に送信する（図１１  １１０６）。戻るボタン１３３２が操作された場合、現場監督者携帯端末１５０は、指標画面１２００を表示する。削除ボタン１３３３が操作された場合、現場監督者携帯端末１５０は、自身の指標画面条件データ８００から指標画面１２００で選択された指標をお気に入り指標又はお勧め指標から削除し、また、その旨を示す指標削除操作ログを業務効率分析システム１２０に送信する（図１１  １１０４）。【０１０８】
図１１に戻り、全体的な処理について説明する。【０１０９】
図１２及び図１３で説明したように、現場監督者携帯端末１５０は、指標画面１２００を表示し、各種操作ログを業務効率分析システム１２０に送信する。【０１１０】
指標追加操作ログは現場監督者１０２の識別情報及び追加する指標の識別情報を含み、業務効率分析システム１２０は、指標追加操作ログを受信した場合、監督者ＩＤ８０１が受信した指標追加操作ログに含まれる現場監督者１０２の識別情報と一致する指標画面条件データ８００の指標ＩＤ８１１に受信した指標追加操作ログに含まれる指標の識別情報を追加する。【０１１１】
また、指標削除操作ログは現場監督者１０２の識別情報及び削除する指標の識別情報を含み、業務効率分析システム１２０は、指標削除操作ログを受信した場合、監督者ＩＤ８０１が受信した指標追加操作ログに含まれる現場監督者１０２の識別情報と一致する指標画面条件データ８００の指標ＩＤ８１１に受信した指標追加操作ログに含まれる指標の識別情報が登録されているレコードを削除する。【０１１２】
詳細画面表示操作ログは、現場監督者１０２の識別情報及び詳細画面１３００を表示した指標の識別情報を含み、業務効率分析システム１２０は、監督者ＩＤ８０１が受信した詳細画面表示操作ログに含まれる現場監督者１０２の識別情報と一致する指標画面条件データ８００の指標ＩＤ８１１に受信した詳細画面表示操作ログに含まれる指標の識別情報が登録されたレコードの過去閲覧履歴リスト８１４の回数に１を加算する。【０１１３】
対処策実施操作決定ログは現場監督者１０２の識別情報及び対処策を実施する指標の識別情報を含み、業務効率分析システム１２０は、受信した対処策実施操作決定ログに含まれる指標の識別情報に対応する各対処策を実施した場合の予測指標値を算出し（１１０７）、対処策の識別情報に対応する対処策管理データ９００及び算出した予測指標値を含む対処策選択画面データ（対処策選択画面表示指示）を現場監督者携帯端末１５０に送信する（１１０８）。予測指標値については、図１９で詳細に説明する。【０１１４】
現場監督者携帯端末１５０は、対処策選択画面データを受信した場合、図１４に示す対処策選択画面１４００を表示する（１１０９）。【０１１５】
ここで、タスクの進捗が遅延した場合の対処策の六つの具体例について説明する。【０１１６】
第１の対処策では、タスクの優先度が変更され、タスクの実施順序が入れ替えられる。この対処策では、対処策を実施するタスクよりも優先度が高いタスクがあることが前提条件となる。問題点としては、優先度が下げられたタスクに遅延が発生する可能性があり、また、他のボトルネックが発生する可能性がある。【０１１７】
第２の対処策では、異なる作業場所から作業員１０３を借り受ける。この対処策では、他の作業場所で融通可能な作業員１０３が存在することが前提条件となる。また、問題点としては、他の作業場所で進捗が悪化する可能性がある。【０１１８】
第３の対処策では、外部組織への作業員の追加派遣を依頼する。この対処策では、作業員の追加派遣を依頼可能な外部組織の存在、及び現時点で追加可能な作業員の数の確認が前提条件となる。また、問題点としては、外部組織への契約支払い等の労働コストが増加する。【０１１９】
第４の対処策では、音楽等の刺激を作業員１０３に与え、作業員１０３のモチベーションを向上させる。この対処策では、作業状況又は作業成績のペースに合わせて音楽等の刺激を作業者に提示するためのデバイスが存在することが前提条件となる。また、問題点としては、当該刺激を継続した場合、作業員１０３が当該刺激になれてしまい、効果が減少する可能性がある。【０１２０】
第５の対処策では、作業員携帯端末１４０に作業員１０３の成績をリアルタイムで表示して、作業員１０３の競争心を刺激することによってモチベーションを向上させる。例えば、作業員携帯端末１４０では、当該作業員携帯端末１４０を利用する作業員１０３の生産性と、ライバルとして設定された他の作業員１０３の生産性とが表示される。なお、作業員携帯端末１４０を利用する作業員１０３のチームの生産性と、ライバルとして設定された他のチームの生産性とが当該作業員携帯端末１４０に表示されてもよい。問題点としては、過剰な競争意識によりチームの連携に悪影響を与える可能性があり、また生産性又は成績に関係ない付帯業務を実施しなくなる可能性がある。【０１２１】
第６の対処策では、所定期間の作業成績によって、作業員１０３にインセンティブを与えて、作業員１０３のモチベーションを向上させる。インセンティブの例としては、物品、シンボル、飲食物、休憩時間、娯楽機器の使用権利、又は金銭等がある。例えば、作業員携帯端末１４０に、対処策の制限時間、作業員１０３の作業成績を換算したポイント数、及びインセンティブに必要なポイント数が表示される。問題点としては、作業員１０３がインセンティブを与えられることに慣れると、モチベーションがインセンティブに依存する傾向があり、インセンティブが与えられない場合のモチベーションが低下する可能性がある。【０１２２】
なお、第１〜第６の対処策は一例であり、本実施例の対処策はこれらに限定されない。【０１２３】
図１４は、実施例１の対処策選択画面１４００の説明図である。【０１２４】
対処策選択画面１４００は、対処策を実施すると判断された指標に対応する各対処策を表示し、実施する対処策を選択する画面である。対処策選択画面１４００は、基本指標情報表示領域１４０１、対処策一覧表示領域１４１０、対処策詳細表示領域１４２０、シミュレーション比較ボタン１４３１、及び戻るボタン１４３２を含む。【０１２５】
基本指標情報表示領域１４０１には、対処策を実施すると判断された指標の値が表示される。対処策一覧表示領域１４１０には、対処策を実施すると判断された指標に対応する各対処策に関する情報が表示される。対処策一覧表示領域１４１０は、推薦度表示領域１４１１、対処策識別情報表示領域１４１２、及び詳細ボタン１４１３を含む。【０１２６】
推薦度表示領域１４１１には、対処策の推薦度が表示される。対処策の推薦度は当該対処策に対応する対処策有効性評価値９０８に基づいて算出される。例えば、対処策有効性評価値９０８に登録された評価値が高いほど、推薦度が高くなるものとする。図１４では、推薦度が高いほど推薦度表示領域１４１１に表示される色が濃くなる。対処策識別情報表示領域１４１２には、対処策の識別情報及び対処策の概要を示す名称が表示される。詳細ボタン１４１３が操作された場合、対処策詳細表示領域１４２０がポップアップ表示される。【０１２７】
対処策詳細表示領域１４２０には、対処策の概要の説明及び対処策を実施することによる副作用が表示される。対処策詳細表示領域１４２０は、選択ボタン１４２１及び過去例ボタン１４２２を含む。選択ボタン１４２１が操作された場合、現場監督者携帯端末１５０は、対処策選択操作ログを業務効率分析システム１２０に送信し（図１１  １１１０）、詳細ボタン１４１３が選択された対処策の実施をサポートする対処策実施サポート画面を表示する（図１１  １１１１）。対処策実施サポート画面の詳細は図１７で説明する。過去例ボタン１４２２が操作された場合、現場監督者携帯端末１５０は、詳細ボタン１４１３が操作された対処策が過去に実施された場合の実施結果を示す過去実施結果画面１５００を表示する。過去実施結果画面１５００の詳細は図１５で説明する。【０１２８】
対処策一覧表示領域１４１０に表示された対処策が選択され、シミュレーション比較ボタン１４３１が操作された場合、現場監督者携帯端末１５０は、選択された対処策を実施した場合のシミュレーション結果を示すシミュレーション比較画面１６００を表示する。シミュレーション比較画面１６００の詳細は図１６で説明する。【０１２９】
戻るボタン１４３２が操作された場合、現場監督者携帯端末１５０は、図１３に示す詳細画面１３００に戻る。【０１３０】
図１５は、実施例１の過去実施結果画面１５００の説明図である。【０１３１】
過去実施結果画面１５００は、基本指標情報表示領域１５０１、対処策識別情報表示領域１５０２、過去実施結果表示領域１５０３、及び説明変数入力領域１５０４を含む。【０１３２】
基本指標情報表示領域１５０１には、対処策を実施すると判断された指標の値が表示される。対処策識別情報表示領域１５０２には、過去例ボタン１４２２が操作された対処策の識別情報及び対処策の概要を示す名称が表示される。【０１３３】
過去実施結果表示領域１５０３には、過去例ボタン１４２２が操作された対処策の実施前後の指標値の変化が散布図上に矢印で表示される。過去実施結果表示領域１５０３に表示される散布図の縦軸には、各実施結果の目的変数である指標値と現在の指標値との差を正規化した値が用いられ、現在の指標値が縦軸の中央に位置する。また、散布図の横軸には、説明変数入力領域１５０４で入力された説明変数と現在の説明変数の差を正規化した値が用いられる。また、散布図の横軸には、複数の説明変数を統合した値が用いられてもよい。なお、複数の説明変数を統合した値は複数の説明変数の相似性を定義する値である。【０１３４】
過去実施結果表示領域１５０３には、過去に実施した対処策の実施結果を示す過去実施結果矢印１５１１、及び今回対処策を実施した場合に推定される実施結果を示す推定実施結果矢印１５２１が表示される。過去実施結果矢印１５１１には対処策を実施した日付を示す日付情報１５１２が表示される。日付情報１５１２の他に対処策が実施された場所を示す場所情報等が表示されてもよい。【０１３５】
過去実施結果矢印１５１１は、対処策の実施を開始した時点での目標変数及び説明変数が示す座標から対処策の実施を開始後所定時間が経過した時点での目標変数及び説明変数が示す座標に向かって描かれる。【０１３６】
推定実施結果矢印１５２１は、今回対処策の実施を開始した時点での目標変数及び説明変数が示す原点座標から推定される実施結果の目標変数及び説明変数が示す座標に向かって描かれる。【０１３７】
過去実施結果矢印１５１１及び推定実施結果矢印１５２１がクリックされると、現場監督者携帯端末１５０は、クリックされた矢印の実施結果の詳細情報を新たなウィンドウで表示してもよい。【０１３８】
現場監督者１０２は、過去実施結果画面１５００によって、現状で対処策が実施された場合に推定される実施結果を確認でき、また、成功した対処策及び失敗した対処策を確認できる。【０１３９】
図１６は、実施例１のシミュレーション比較画面１６００の説明図である。【０１４０】
シミュレーション比較画面１６００は、基本指標情報表示領域１６０１、シミュレーション表示領域１６０２、及び指標一覧ボタン１６０３を含む。【０１４１】
基本指標情報表示領域１６０１は、図１４に示す基本指標情報表示領域１４０１と同じであるので、説明を省略する。シミュレーション表示領域１６０２には、図１４に示す対処策選択画面で選択された対処策を実施した場合の対処策を実施すると判断された指標の予測値の時系列的変化を示すグラフが表示される。指標の予測値はログ情報に基づいて算出される。【０１４２】
指標一覧ボタン１６０３が操作された場合、現場監督者携帯端末１５０は、指標の識別情報の一覧を表示する。表示された指標の識別情報のいずれかが操作された場合、現場監督者携帯端末１５０は、当該指標の予測値の時系列的変化を示すグラフをシミュレーション表示領域１６０２に表示する。【０１４３】
現場監督者１０２は、シミュレーション比較画面１６００を確認し、今回実施すべき対処策を決定する。【０１４４】
図１１に戻り、全体的な処理について説明する。【０１４５】
対処策選択操作ログは、現場監督者１０２の識別情報、対処策を実施する指標の識別情報、実施する対処策の識別情報を含み、業務効率分析システム１２０は、監督者ＩＤ８０１が受信した詳細画面表示操作ログに含まれる現場監督者１０２の識別情報と一致する指標画面条件データ８００の指標ＩＤ８１１に受信した対処策選択操作ログに含まれる指標の識別情報が登録されたレコードの対処策実施履歴８１５の回数に１を加算する。【０１４６】
また、業務効率分析システム１２０は、対処策実施ログ１０００を新たに生成する。そして、業務効率分析システム１２０は、生成した対処策実施ログ１０００の指標ＩＤ１００１に、受信した対処策選択操作ログに含まれる指標の識別情報を登録し、日時情報１００２には、対処策選択操作ログを受信した日時を示す情報を登録し、対処策ＩＤ１００３には、受信した対処策選択操作ログに含まれる対処策の識別情報を登録する。また、業務効率分析システム１２０は、当該対処策実施ログ１０００の対処策実行判断者１００４及び対処策実行指示者１００５に、受信した対処策選択操作ログに含まれる現場監督者１０２の識別情報を登録し、対処策開始時刻１００６に対処策選択操作ログを受信した時刻を登録し、対処策開始時指標データ値１００７に対処策選択操作ログを受信した時点での指標値を登録する。【０１４７】
また、業務効率分析システム１２０は、対処策ＩＤ９０１に受信した対処策選択操作ログに含まれる対処策の識別情報が登録された対処策管理データ９００を参照し、実行時サポート画面用スクリプトリンク９０６に登録されたリンクのスクリプト、及び終了時サポート画面用スクリプトリンク９０７に登録されたリンクのスクリプトを含む対処策実施サポート画面データ（対処策実施サポート画面表示指示）を現場監督者携帯端末１５０に送信する（１１１１）。【０１４８】
現場監督者携帯端末１５０は、受信した対処策実施サポート画面データに含まれる対処策実施サポート画面１７００を表示する（１１１２）。対処策実施サポート画面１７００について図１７を用いて説明する。図１７は、実施例１の対処策実施サポート画面１７００の説明図である。【０１４９】
対処策実施サポート画面１７００は、対処策識別情報表示領域１７０１、及び工程表示領域１７１０を含む。【０１５０】
対処策識別情報表示領域１７０１には、実施する対処策の識別情報が表示される。工程表示領域１７１０は、チェックボックス１７１１、工程表示領域１７１２、終了時刻１７１３、説明ボタン１７１４、連絡ボタン１７１５、及び実行ボタン１７１６を含む。【０１５１】
チェックボックス１７１１は、各工程が終了した場合に現場監督者１０２によって操作される。工程表示領域１７１２には、実施する対処策に含まれる工程が表示される。終了時刻１７１３には、チェックボックス１７１１が操作された時刻、すなわち、工程が終了した時刻が表示される。【０１５２】
説明ボタン１７１４が操作された場合、工程の詳細な説明が表示される。連絡ボタン１７１５が操作された場合、現場監督者携帯端末１５０は、対応する工程に関連する作業員に電話又はメール等で連絡する。実行ボタン１７１６が操作された場合、現場監督者携帯端末１５０は、対応する工程を実行する。【０１５３】
なお、連絡ボタン１７１５は、現場監督者携帯端末１５０から連絡が可能な工程の説明ボタン１７１４の下方に表示され、実行ボタン１７１６は、現場監督者携帯端末１５０で実行可能な工程の説明ボタン１７１４の下方に表示される。【０１５４】
チェックボックス１７１１が操作された場合、現場監督者携帯端末１５０は、チェックボックス１７１１が操作された工程の識別情報、工程の実施者の名前、及びチェックボックス１７１１が操作された時刻を含む工程実施ログを業務効率分析システム１２０に送信する（１１１３）。工程の実施者の名前は、例えば、現場監督者１０２によって入力されるものとする。【０１５５】
業務効率分析システム１２０は、受信した工程実施ログに基づいて、対処策実施ログ１０００の指示実行過程ログ１０１０を更新する。具体的には、業務効率分析システム１２０は、工程番号１０２１に工程実施ログに含まれる工程の識別情報を登録し、実施者１０２２に工程実施ログに含まれる実施者の名前を登録し、実施時刻１０２３に工程実施ログに含まれる時刻を登録する。【０１５６】
現場監督者携帯端末１５０は、図１７に示す対処策実施サポート画面１７００の全ての工程のチェックボックス１７１１が操作され、対処策を実施した指標値が警告レベルに属さない値となれば、対処策の終了をサポートするための図示しない対処策終了サポート画面を表示する。対処策終了サポート画面は、図１７に示す対処策実施サポート画面１７００と同様の画面であり、対処策を終了するための工程に関する情報が表示される。【０１５７】
業務効率分析システム１２０は、指標の緊急度評価閾値、指標の有効性評価値、及び対処策の有効性評価値を更新し、指標の有効性評価値に基づいてお勧め指標を更新するパラメータ更新処理を所定のタイミングで実行する。パラメータ更新処理の詳細は、図２０で説明する。所定のタイミングとは、前回パラメータ更新処理を実行してから所定時間（例えば、１日）が経過したタイミングであってもよいし、対処策の最後の工程が終了したことを示す工程実施ログを受信したタイミングであってもよい。【０１５８】
図１８は、実施例１の指標値計算処理のフローチャートである。【０１５９】
まず、業務効率分析システム１２０は、データベース６１０からログ情報を読み出す（１８０１）。次に、業務効率分析システム１２０は、各指標管理データ７００の指標計算スクリプトリンク７０２に登録されたリンクの指標計算スクリプトを実行し、ステップ１８０１の処理で読み出されたログ情報を指標計算スクリプトに入力し、各指標の指標値を計算する（１８０２）。なお、ステップ１８０２の処理で計算された指標値は、各指標管理データ７００の指標時系列データ７０７に時刻情報とともに登録される。【０１６０】
ここで、各指標の具体的な計算方法について説明する。【０１６１】
業務効率分析システム１２０は、図６に示す人員マスタテーブル６００を参照して、生産性指標を計算する。例えば、業務効率分析システム１２０は、同じタスクで同じ作業場所の作業員の終了時刻から開始時刻を減算した値の平均値を生産性指標として計算する。以下では、時刻ｔにおいて同じ作業場所で同じタスク（業務区分ｐ）の作業員ｗの集合は、Ｗ（ｐ，ｔ）として記載する。【０１６２】
生産性指標及び作業進捗指標は作業量を計測する単位系を変更することによって、これらの指標値が変化する。例えば、作業対象となる物品を計測する単位を重量とするか、梱包量とするか、注文表の数とするかで、作業量が変わる。【０１６３】
本実施例では、業務効率分析システム１２０は、業務区分ｐに割り当てられた業務の量を単位系ｕで計測した値をＴ（ｐ，ｕ）として記憶する。また、確定前の注文の概算値を推定した値をＴ０（ｐ，ｕ）として記載する。時刻ｔにおいて既に終了した業務の量を単位系ｕで計測した値をＴｅ（ｔ，ｐ，ｕ）と記載する。残りの業務作業量は、式１で表現される。【０１６４】
Ｔｒ（ｔ，ｐ，ｕ）＝Ｔ（ｐ，ｕ）−Ｔｅ（ｔ，ｐ，ｕ）・・・式１【０１６５】
また、業務区分ｐの生産性速度を単位系ｕで計測した値は式２で表現される。【０１６６】
Ｐ（ｔ，ｐ，ｕ）  ＝  ｄＴｅ（ｔ，ｐ，ｕ）  ／  ｄｔ・・・式２【０１６７】
時刻ｔが状況ｃに含まれていた時のＰ（ｔ，ｐ，ｕ）の値の平均値はＰ（ｃ，ｐ，ｕ）と記載する。ここで状況ｃは、業務区分ｐの作業員１０３の作業の実施状況を示す。状況ｃは、曜日及び日時等の時間帯、季節、環境条件、並びに対処策の実施条件等の特定の条件を満たした時刻区分である。【０１６８】
また、業務効率分析システム１２０は、時刻ｔにおける業務区分ｐの作業員１０３と予定される状況ｃとを記憶し、時刻ｔ０における残り業務量Ｔｅ（ｔ，ｐ，ｕ）が与えられた場合、時刻ｔｋの業務量予測値を式３を用いて計算できる。またこの値が０になる時間を単位系ｕにおいて推測される業務終了時刻の予測値とするができる。【０１６９】
Ｔｆ（ｔ）  ＝  Ｔｅ（ｔ０，ｐ，ｕ）−Σ｛ｔ０＜ｔ＜ｔｋ｝  Ｐ（ｃ（ｔ），ｐ，ｕ）・・・式３【０１７０】
行動関連指標は、各作業員１０３からのアンケート結果、加速度センサ、心拍センサ、及び画像による各作業員１０３の行動の推測値等が定量化されたものである。【０１７１】
次に、業務効率分析システム１２０は、ステップ１８０２の処理で計算した各指標の指標値と各指標管理データ７００の緊急性評価閾値７０８に登録された値とに基づいて、各指標の指標値の緊急性を評価する（１８０３）。例えば、業務効率分析システム１２０は、指標値が計算された指標の指標管理データ７００の緊急性評価閾値７０８に登録された複数の区間のうち、計算された指標値が属する区間に対応する警告レベルを示す値を取得することによって、指標値の緊急性を評価する。なお、業務効率分析システム１２０は、所定の区間の指標値を線形補間したもの又は所定の関数を用いて指標値の緊急性を評価してもよい。【０１７２】
次に、業務効率分析システム１２０は、ステップ１８０２の処理で計算された指標値、及びステップ１８０３の処理で評価された各指標値の警告レベルを含む指標画面データを現場監督者携帯端末１５０に送信し（１８０４）、指標値計算処理を終了する。【０１７３】
業務効率分析システム１２０が対処策実施決定操作ログを受信した場合に実行する対処策実施予測値算出処理について図１９を用いて説明する。図１９は、実施例１の対処策実施予測値算出処理のフローチャートである。【０１７４】
まず、業務効率分析システム１２０は、受信した対処策実施決定操作ログに含まれる対処策を実施する指標の識別情報が指標ＩＤ７０１に登録された指標管理データ７００の対処策７１３に登録された対処策の識別情報を全て取得する（１９０１）。そして、業務効率分析システム１２０は、データベース６２０から最新のログ情報を読み出す（１９０３）。【０１７５】
次に、業務効率分析システム１２０は、ステップ１９０１の処理で取得した対処策の識別情報の全てに対して、ステップ１９０４及び１９０５の処理を実行する（１９０３）。まず、業務効率分析システム１２０は、ステップ１９０１の処理で取得した対処策の識別情報からステップ１９０３〜１９０５の処理を実行する対処策の識別情報を選択する。そして、業務効率分析システム１２０は、選択した対処策の識別情報が対処策ＩＤ９０１に登録された対処策管理データ９００の現状効果予測スクリプトリンク９０３に登録されたリンクのスクリプトを実行する。【０１７６】
次に、業務効率分析システム１２０は、選択した対処策の識別情報が対処策ＩＤ１００３に登録された対処策実施ログ１０００のうち、現時点での状況と類似する状況の対処策実施ログを読み出す（１９０４）。現時点での状況には、例えば、業務管理テーブル５００に登録された指標値が計算されたタスクの平均所要時間５０５、頻度５０６、及び従事人数５０８等が用いられる。この他にも、予定に対する人員の過不足比率等が用いられてもよい。具体的には、業務効率分析システム１２０は、現時点での状況を示す値の絶対値と対処策実施ログ１０００の対処策の実施前の状況を示す値の絶対値とを正規化した値を計算する。そして、業務効率分析システム１２０は、正規化した値の線形和等を計算することによって、状況の類似性を計算する。【０１７７】
次に、業務効率分析システム１２０は、ステップ１９０４の処理で読み出された対処策実施ログ１０００を参照し、選択した対処策の識別情報によって識別される対処策を現在の状況で実施した場合の指標値（目的変数）の変化を示す予測値を計算する（１９０５）。【０１７８】
ステップ１９０５の処理について具体的に説明する。業務効率分析システム１２０はステップ１９０４の処理で選択した対処策実施ログ１０００（サンプル）の対処策の実施開始直後から所定時間経過後の指標値の変化率を計算する。そして、業務効率分析システム１２０は、現時点での状況を示す値である説明変数と対処策の実施時点での状況を示す値である説明変数との差に基づいて、これらの類似性を示す距離関数を生成する。そして、業務効率分析システム１２０は、距離関数に基づいて、ステップ１９０４の処理で選択した対処策実施ログ１０００の対処策実施直後から所定時間経過するまでの指標値を補間し、現時点で対処策が実施された場合の指標値の変化率を推定する。【０１７９】
サンプルｉを計測した時刻をｔｉとし、時刻ｔｉの説明変数をＰｉｊ（ｔｉ）とし、指標値をＳｉ（ｔｉ）とし、所定時間経過後の指標の変化をＳｉ（ｔｉ＋ｄｔ）とする。現在の状況を説明変数Ｐｊ（ｔ）及び指標値Ｓ（ｔ）で表した場合、各サンプルのデータを補間することによって、所定時間経過後の指標値Ｓ（ｔ）の変動値ｄＳ（ｔ）が推定される（式４参照）。【０１８０】
ｄＳ（ｔ）  ＝  Σｃ  （  Ｓｉ（ｔｉ＋ｄｔ）  −  Ｓｉ（ｔｉ）  ）／ｋｉ・・・式４【０１８１】
ただし、ｋｉは、現在の状態とサンプルｉの状態との差異を示す距離関数であり、式５に従って計算される。【０１８２】
ｋｉ  ＝  Σｊ  ｗｊ  ・｜  Ｐｉｊ（ｔｉ）  −Ｐｊ（ｔ）  ｜・・・式５【０１８３】
時刻ｔを進め、目的変数が目標値に達するまで、式１を繰り返し計算する。以上の計算によって、予測値が算出され、式４の計算結果が図１６に示すシミュレーション表示領域１６０２に表示される。【０１８４】
ただし、距離関数による重み付けを用いた方法は一つの手法に過ぎず、様々な手法が知られている。入力ダイアログを設定し他種類の補間方法を選ぶようにする事も可能である。【０１８５】
ステップ１９０１の処理で取得された全ての対処策の識別情報に対してステップ１９０４及び１９０５の処理が実行されていない場合、業務効率分析システム１２０は、ステップ１９０３の処理に戻り、ステップ１９０４及び１９０５の処理が実行されていない対処策の識別情報を選択し、ステップ１９０４及び１９０５の処理を実行する。【０１８６】
ステップ１９０１の処理で取得された全ての対処策の識別情報に対してステップ１９０４及び１９０５の処理が実行された場合、業務効率分析システム１２０は、ステップ１９０４の処理で読み出された対処策実施ログ１０００及びステップ１９０５の処理で計算された予測値を含む対処策選択画面データを現場監督者携帯端末１５０に送信し（１９０６）、対処策実施予測値算出処理を終了する。【０１８７】
図２０は、実施例１のパラメータ更新処理のフローチャートである。【０１８８】
まず、業務効率分析システム１２０は、全ての現場監督者１０２の指標画面条件データ８００の過去閲覧履歴リスト８１４を参照し、警告なしの指標のうち詳細画面１３００が表示された指標が存在するか否かを判定する（２００１）。【０１８９】
ステップ２００１の処理で警告なしの指標のうち詳細画面１３００が表示された指標が存在すると判定された場合、業務効率分析システム１２０は、警告レベル１を報知するタイミングを早めるために、当該指標の指標管理データ７００の緊急性評価閾値７０８に登録された警告レベル１に対応する区間を拡大し（２００２）、ステップ２００３の処理に進む。例えば、指標値が大きいほど高い警告レベルとなる場合、業務効率分析システム１２０は、警告レベル１に対応する区間を確定する二つの閾値のうち、小さい方の閾値を所定値だけ減少させることによって、警告レベル１の警告タイミングを早める。なお、ステップ２００２の処理では、業務効率分析システム１２０は、警告レベル２に対応する区間も拡大してもよい。【０１９０】
一方、ステップ２００１の処理で警告なしの指標のうち詳細画面１３００が表示された指標が存在しないと判定された場合、ステップ２００３の処理に進む。【０１９１】
次に、業務効率分析システム１２０は、全ての現場監督者１０２の指標画面条件データ８００の対処策実施履歴８１５を参照し、警告レベル２が警告された指標のうち対処策が実施されなかった指標が存在するか否かを判定する（２００３）。【０１９２】
ステップ２００３の処理で警告レベル２が警告された指標のうち対処策が実施されなかった指標が存在すると判定された場合、業務効率分析システム１２０は、警告レベル２を報知するタイミングを遅らせるために、当該指標の指標管理データ７００の緊急性評価閾値７０８に登録された警告レベル２に対応する区間を縮小し（２００４）、ステップ２００５の処理に進む。例えば、指標値が大きいほど高い警告レベルとなる場合、業務効率分析システム１２０は、警告レベル２に対応する区間を確定する二つの閾値のうち、小さい方の閾値を所定値だけ増加させることによって、警告レベル２の警告タイミングを遅らせる。なお、ステップ２００４の処理では、業務効率分析システム１２０は、警告レベル１に対応する区間も縮小してもよい。【０１９３】
次に、業務効率分析システム１２０は、実施した各対処策に対応する対処策管理データ９００の対処策有効性評価値９０８を更新する（２００５）。【０１９４】
ステップ２００５の処理について具体的に説明する。対処策を実施した現場監督者１０２は、実施された対処策の実施結果を参考にして、実施された対処策の効果を評価する値（対処策効果評価値）を現場監督者携帯端末１５０に入力する。現場監督者携帯端末１５０は、入力された対処策効果評価値、対処策が実施された指標の識別情報、及び実施された対処策の識別情報を含む対処策効果評価データを業務効率分析システム１２０に送信する。業務効率分析システム１２０は、対処策効果評価データを受信した場合、対処策効果評価データに含まれる指標の識別情報が指標ＩＤ１００１に登録され、対処策効果評価データに含まれる対処策の識別情報が対処策ＩＤ１００３に登録された対処策実施ログ１０００の対処策効果評価値１０１１に、対処策効果評価データに含まれる対処策効果評価値を登録する。【０１９５】
ステップ２００５の処理では、業務効率分析システム１２０は、対処策の識別情報が一致する対処策実施ログ１０００の対処策効果評価値１０１１に登録された値の平均値を評価値Ｖ０として計算する。なお、業務効率分析システム１２０は、図１４に示す対処策選択画面１４００で詳細ボタン１４１３が操作されたにもかかわらず、選択されなかった対処策を管理しておき、当該対処策の評価値Ｖ０から所定値を減算してもよい。【０１９６】
また、業務効率分析システム１２０は、対処策を実施しなかった場合の指標値の推定値を計算し、対処策の実施後の指標値と計算された推定値との差を評価値Ｖ１とする。また、業務効率分析システム１２０は、対処策を実施するためのコストを評価値Ｖ２とする。【０１９７】
そして、業務効率分析システム１２０は、評価値Ｖ０〜Ｖ２にそれぞれ重み付け値ｗ０〜ｗ２を乗算した値を加算して、有効性評価値を求め、求めた有効性評価値を対処策管理データ９００の対処策有効性評価値９０８に対処策有効性評価値として登録する。なお、対処策有効性評価値の計算方法はこれに限定されず、対処策有効性評価値は、実施した対処策の実施結果に基づいて計算された値であればよい。【０１９８】
次に、業務効率分析システム１２０は、各指標に対応する指標管理データ７００の有効性評価値７１１を更新する（２００６）。【０１９９】
具体的には、業務効率分析システム１２０は、全ての現場監督者１０２の指標画面条件データ８００の過去閲覧履歴リスト８１４に登録された値と対処策実施履歴８１５に登録された値とを加算した値を閲覧評価値８１６に登録する。そして、業務効率分析システム１２０は、閲覧評価値８１６に登録された値を指標ごとに合計し、当該合計値を各指標に対応する指標管理データ７００の有効性評価値７１１に登録する。なお、業務効率分析システム１２０は、いずれの現場監督者１０２も所定時間以上詳細画面表示操作及び対処策実施決定操作をしなかった指標の閲覧評価値を所定値だけ減算してもよい。【０２００】
次に、業務効率分析システム１２０は、ステップ２００６の処理で更新された各指標の有効性評価値７１１を参照し、各現場監督者１０２に対応する指標画面条件データ８００に登録されたお勧め指標を更新し（２００７）、パラメータ更新処理を終了する。【０２０１】
具体的には、業務効率分析システム１２０は、有効性評価値が、各現場監督者１０２に対応する指標画面条件データ８００のお勧め指標８１３にＹｅｓが登録された指標の有効性評価値より大きく、かつ、お気に入り選択中８１２にＹｅｓが登録された指標と異なる指標があれば、当該指標をお勧め指標として指標画面条件データ８００に登録する。業務効率分析システム１２０は、お勧め指標を指標画面条件データ８００に登録する場合、お勧め指標８１３にＹｅｓが登録された指標のレコードを削除する。また、業務効率分析システム１２０は、更新された指標画面条件データ８００の現場監督者携帯端末１５０に当該更新された指標画面条件データ８００を送信し、当該現場監督者携帯端末１５０は、受信した指標画面条件データ８００に基づいて、自身の指標画面条件データ８００を更新する。【０２０２】
これによって、ある現場監督者１０２に表示されるお勧め指標が、全ての現場監督者１０２の中で有効性評価値が高い指標に変更される。このため、複数のユーザが役割を分担して作業を実施する業務において、現場監督者携帯端末１５０が適切な指標値を提示できる。【０２０３】
また、図２０に示すステップ２００１〜２００４の処理では、指標値に対する警告の提示の有無と当該指標値に対する選択操作の有無とに基づいて、警告レベルの区間（警告を提示するか否かの閾値）が変更される。また、警告を提示していないにもかかわらず選択操作があった指標の閾値は、現在の指標値で警告を提示すると判定されるように、すなわち、現在の閾値より早い段階で警告を提示すると判定されるように変更され、警告を提示したにもかかわらず選択操作がない指標の閾値を、現在の指標値で警告を提示しないと判定されるように、現在の閾値より遅い段階で警告を提示すると判定されるように変更される。【０２０４】
したがって、複数の現場監督者１０２の選択操作に基づいて、警告を提示するか否かの閾値が適切な値に変更でき、警告を適切なタイミングで提示できる。【０２０５】
また、図２０に示すステップ２００５の処理では、実施された対処策の実施結果に基づいて対処策の有効性評価値が更新されるため、一人の現場監督者１０２が実施した対処策の実施結果のみならず、複数の現場監督者１０２が実施した対処策の実施結果を対処策の有効性評価値に反映できる。このため、適切な対処策の有効性評価値を対処策選択画面４００に表示することができる。
【実施例２】
【０２０６】
本実施例では、指標画面１２００の変更例を現場監督者１０２に推薦するものである。本実施例について図２１及び図２２を用いて説明する。【０２０７】
図２１は、実施例２の変更推薦処理のフローチャートである。【０２０８】
業務効率分析システム１２０は、現場監督者携帯端末１５０から変更推薦処理要求を受信した場合、又は所定のタイミングで変更推薦処理を実行する。【０２０９】
まず、業務効率分析システム１２０は、既存の指標画面１２００を変更した変更指標画面を推薦する推薦対象者Ｘの既存の指標画面１２００を選択する（２１０１）。選択された指標画面１２００では指標ｉが表示される。ステップ２１０１の処理では、業務効率分析システム１２０は、推薦対象者Ｘの識別情報が監督者ＩＤ８０１に登録された指標画面条件データ８００を選択する。【０２１０】
次に、業務効率分析システム１２０は、既存の指標画面１２００の表示態様を変更するビュー変更であるか、既存の指標画面１２００に表示される指標を変更するモデル変更であるかを判定する（２１０２）。現場監督者携帯端末１５０が変更推薦処理要求を送信する場合、変更推薦処理要求は、ビュー変更であるかモデル変更であるかを示す情報を含む。また、業務効率分析システム１２０は、ビュー変更であるかモデル変更であるかを推薦対象者Ｘに決定させるための画面を現場監督者携帯端末１５０に表示させ、現場監督者携帯端末１５０が推薦対象者Ｘの決定を受け付けた場合、ビュー変更であるかモデル変更であるかを示す情報を業務効率分析システム１２０に送信してもよい。【０２１１】
ステップ２１０２の処理でビュー変更であると判定された場合、業務効率分析システム１２０は、推薦対象者Ｘの既存の指標画面１２００の各種表示領域を変更する（２１０３）。例えば、業務効率分析システム１２０は、既存の指標画面１２００の各指標に対応する指標値時系列グラフ１３０２を表示させるように指標画面１２００を変更する。【０２１２】
次に、業務効率分析システム１２０は、推薦対象者Ｘの既存の指標画面１２００の各種表示領域のパラメータを変更し（２１０４）、ステップ２１０６の処理に進む。例えば、業務効率分析システム１２０は、既存の指標画面１２００の各種表示領域の表示サイズ、及び表示位置等を変更する。また、ステップ２１０４の処理では、業務効率分析システム１２０は、指標が警告レベルである旨の報知態様を変更してもよい。業務効率分析システム１２０は、既存の指標画面１２００のアラーム表示領域１２１１に表示される色及び点滅態様を変更してもよいし、指標が警告レベルである旨を報知するための音、バイブレーション、及びアニメーションを変更してもよい。【０２１３】
一方、ステップ２１０２の処理でモデル変更であると判定された場合、業務効率分析システム１２０は、推薦対象者Ｘの既存の指標画面１２００に表示される指標を類似指標に変更するための類似指標決定処理を実行し（２１０５）、ステップ２１０６の処理に進む。ステップ２１０５の処理は図２２で詳細を説明する。【０２１４】
次に、業務効率分析システム１２０は、変更後の指標画面を推薦対象者Ｘの現場監督者携帯端末１５０に表示させる（２１０６）。そして、業務効率分析システム１２０は、変更後の指標画面を採用する操作を現場監督者携帯端末１５０が受け付けたか否かを判定する（２１０７）。【０２１５】
ステップ２１０７の処理で、変更後の指標画面を採用する操作を現場監督者携帯端末１５０が受け付けたと判定された場合、業務効率分析システム１２０は、推薦対象者Ｘの識別情報が監督者ＩＤ８０１に登録された指標画面条件データ８００を変更後の指標画面１２００に対応するように更新し（２１０８）、変更推薦処理を終了する。具体的には、業務効率分析システム１２０は、変更後の指標画面１２００で表示される指標の数のレコードを指標画面条件データ８００に作成し、作成したレコードの指標ＩＤ８１１に各指標の識別情報を登録する。ステップ２１０８の処理では、業務効率分析システム１２０は、更新後の指標画面条件データ８００を推薦対象者Ｘの現場監督者携帯端末１５０に送信し、当該現場監督者１５０が記憶する指標画面条件データ８００も更新する。【０２１６】
一方、ステップ２１０７の処理で、変更後の指標画面を採用する操作を現場監督者携帯端末１５０が受け付けていないと判定された場合、業務効率分析システム１２０は変更推薦処理を終了する。【０２１７】
図２２は、実施例２の類似指標決定処理のフローチャートである。【０２１８】
まず、業務効率分析システム１２０は、推薦対象者Ｘの既存の指標画面１２００に表示される指標ｉ０のパラメータを取得する（２２０１）。具体的には、業務効率分析システム１２０は、推薦対象者Ｘの識別情報が監督者ＩＤ８０１に登録された指標画面条件データ８００のお気に入り選択中８１２に「Ｙｅｓ」が登録されたレコード又はお勧め指標８１３に「Ｙｅｓ」が登録されたレコードの指標ＩＤ８１１に登録された指標の識別情報を取得する。そして、業務効率分析システム１２０は、取得した指標の識別情報が指標ＩＤ７０１に登録された指標管理データ７００をパラメータとして取得する。次に、業務効率分析システム１２０は、相違許容値ｓ０を設定する（２２０２）。相違許容値Ｓ０は予め設定された値である。【０２１９】
業務効率分析システム１２０は、対象者Ｘの指標画面条件データ８００に登録されていない指標ｉｑを選択し、対象者Ｘの指標画面条件データ８００に登録されていない全ての指標に対してステップ２２０４〜２２１５の処理を実行する（２２０３）。まず、業務効率分析システム１２０は、選択した指標ｉｑの識別情報が指標ＩＤ７０１に登録された指標管理データ７００を指標ｉｑのパラメータとして取得する（２２０４）。業務効率分析システム１２０は、相違評価値ｓを０に設定し、相違評価値を初期化する（２２０５）。【０２２０】
次に、業務効率分析システム１２０は、推薦対象者Ｘが監督対象の作業員１０３を分割して管理するための分割ルールＧ０に用いるパラメータと、指標ｉｑが指標画面１２００に表示される現場監督者１０２の分割ルールＧｑに用いるパラメータとを比較する（２２０６）。指標ｉｑが指標画面１２００に表示される現場監督者１０２は、指標ＩＤ８１１にステップ２２０３の処理で選択した指標ｉｑの識別情報が登録された指標画面条件データ８００の監督者ＩＤ８０１に登録された識別情報によって識別される。【０２２１】
分割ルールに用いるパラメータとしては、例えば、作業員１０３の作業場所、作業種類、生産性、経験年数、作業時間、及び現場監督者１０２による作業員１０３の評価等がある。異なるパラメータ同士の評価値は予め計算され、所定のテーブルに登録されているものとする。【０２２２】
次に、業務効率分析システム１２０は、分割ルールＧ０のパラメータと分割ルールＧｑのパラメータとが同じ種類であるか否かを判定する（２２０７）。【０２２３】
ステップ２２０７の処理で、分割ルールＧ０のパラメータと分割ルールＧｑのパラメータとが同じ種類であると判定された場合、業務効率分析システム１２０は、パラメータが同じ種類である旨の評価値を相違評価値ｓに加算し（２２０８）、ステップ２２１０の処理に進む。【０２２４】
一方、ステップ２２０７の処理で、分割ルールＧ０のパラメータと分割ルールＧｑのパラメータとが異なる種類である場合、当該パラメータに対応する図示しないテーブルに登録された評価値を相違評価値ｓに加算し（２２０９）、ステップ２２１０の処理に進む。【０２２５】
なお、同じ種類であるパラメータの評価値は、異なる種類であるパラメータの評価値より小さいものとする。【０２２６】
ステップ２２０７〜２２１０の処理では、推薦対象者Ｘと指標ｉｑが表示される現場監督者１０２とのユーザ類似度が計算される。上記したように、ユーザ類似度は分割ルールの共通性に基づいて計算されるが、これに限定されない。例えば、図２３に示すステップ２３０３の処理で説明するように、推薦対象者Ｘ及び指標ｉｑが表示される現場監督者１０２の作業現場で実施される業務の共通性に基づいて計算されてもよい。【０２２７】
次に、業務効率分析システム１２０は、指標ｉ０の計算に用いるログ情報計測対象Ｍ０の項目と指標ｉｑの計算に用いる計測対象Ｍｑの項目とを比較する（２２１０）。指標の計測対象の項目としては、残り作業数、生産性、及び例外発生回数等がある。なお、異なる項目同士の評価値は予め計算され、所定のテーブルに登録されているものとする。【０２２８】
そして、業務効率分析システム１２０は、計測対象Ｍ０の項目と計測対象Ｍｑの項目とが同じ種類であるか否かを判定する（２２１１）。【０２２９】
ステップ２２１１の処理で、計測対象Ｍ０の項目と計測対象Ｍｑの項目とが同じ種類であると判定された場合、業務効率分析システム１２０は、各項目で用いる単位系の相違に基づく評価値を相違評価値ｓに加算し（２２１２）、ステップ２２１４の処理に進む。ここで、残り作業数の単位系は、例えば、残りの作業対象の個数、全体との比率、残りの作業対象の重さ、又は予想時間等を用いる。生産性の単位系は、例えば、一人当たりの生産性の平均値、生産性の総和、生産性の最頻値、又は生産性の中間値等を用いる。例外発生回数の単位系は、例えば呼び出し回数、又は停滞回数等を用いる。【０２３０】
一方、ステップ２２１１の処理で、計測対象Ｍ０の項目と計測対象Ｍｑの項目とが同じ種類でないと判定された場合、業務効率分析システム１２０は、当該項目に対応する図示しないテーブルに登録された評価値を相違評価値ｓに加算し（２２１３）、ステップ２２１４の処理に進む。【０２３１】
なお、同じ種類である項目の評価値は、異なる種類である項目の評価値より小さいものとする。【０２３２】
次に、業務効率分析システム１２０は、相違評価値ｓが相違許容値ｓ０以下であるか否かを判定する（２２１４）。【０２３３】
ステップ２２１４の処理で相違評価値ｓが相違許容値ｓ０以下であると判定された場合、業務効率分析システム１２０は、指標ｉ０に類似する指標を指標ｉｑに決定し、類似指標決定処理を終了する。【０２３４】
一方、ステップ２２１４の処理で相違評価値ｓが相違許容値ｓ０より大きいと判定された場合、業務効率分析システム１２０は、全ての指標に対してステップ２２０４〜２２１４の処理が実行されていれば、類似指標決定処理を終了する。一方、業務効率分析システム１２０は、全ての指標に対してステップ２２０４〜２２１４の処理が実行されていなければ、相違許容値ｓ０を所定値だけ増加させ、ステップ２２０３の処理に戻り（２２１６）、他の指標を選択し、ステップ２２０４〜２２１４の処理を実行する。【０２３５】
推薦対象者Ｘの指標画面１２００に表示される指標を指標ｉ０として類似指標決定処理を実行することによって、推薦対象者Ｘの指標画面１２００に表示される指標の類似指標を決定でき、推薦対象者Ｘの指標を類似指標に変更するか否かを確認する画面を現場監督者携帯端末１５０に表示させることができる。これによって、現場監督者１０２は、類似指標が自分にとって有効である場合には、当該類似指標を自身の現場監督者携帯端末１５０に表示させることができる。なお、この類似指標は、推薦対象者Ｘと他の現場監督者１０２との類似性、及び指標同士の類似性に基づいて決定されるので、推薦対象者Ｘが確認を希望する可能性が高い指標が類似指標として決定される。
【実施例３】
【０２３６】
本実施例では、他の現場監督者１０２が使用中の指標画面１２００を推薦対象者となる現場監督者１０２に推薦するものである。本実施例について図２３及び図２４を用いて説明する。【０２３７】
図２３は、実施例３の他指標推薦処理のフローチャートである。【０２３８】
業務効率分析システム１２０は、現場監督者携帯端末１５０から他指標推薦処理要求を受信した場合、又は所定のタイミングで変更推薦処理を実行する。【０２３９】
まず、業務効率分析システム１２０は、人員マスタテーブル６００から推薦対象者Ｘの情報、及び推薦対象者Ｘに対応する指標画面条件データ８００を取得する（２３０１）。【０２４０】
次に、業務効率分析システム１２０は、任意の現場監督者１０２を選択し、全ての現場監督者１０２に対してステップ２３０３〜２３０５の処理を実行する（２３０２）。ステップ２３０２の処理で選択された現場監督者１０２を現場監督者Ｋと記載する。また、業務効率分析システム１２０は、人員マスタテーブル６００から現場監督者Ｋの情報、及び現場監督者Ｋに対応する指標画面条件データ８００を取得する。【０２４１】
まず、業務効率分析システム１２０は、推薦対象者Ｘと現場監督者Ｋとの類似度ｄを計算する（２３０３）。類似度の具体的な計算方法について説明する。業務効率分析システム１２０は、推薦対象者Ｘの作業場所で実施されているタスクと現場監督者Ｋの作業場所で実施されているタスクとの類似度を計算する。業務効率分析システム１２０は、推薦対象者Ｘの指標画面条件データ８００から作業場所ＩＤ８０２に登録された作業場所の識別情報を取得する。そして、業務効率分析システム１２０は、業務管理テーブル５００から、タスクＩＤ５０１に取得した作業場所の識別情報が登録されたレコードをタスクに関する情報として取得する。業務効率分析システム１２０は、同様に、現場監督者Ｋのタスクに関する情報を取得する。そして、業務効率分析システム１２０は、式６を用いて、取得した両者のタスクに関する情報の各データ項目の差を定量化する。【０２４２】
ｆ（ｘ，ｙ）＝｜  （２＊ｘ）／（ｘ＋ｙ）  −０．５  ｜・・・式６【０２４３】
なお、取得したタスクに関する情報のデータ項目のうち、数値が登録されていないデータ項目は、データ項目同士が一致している場合には式３の値を０とし、一致していない場合には式３の値を１とする。【０２４４】
業務効率分析システム１２０は、このように計算された各データ項目の式３の値を、各データ項目に対して設定された重み付けの値を乗算し、総和を計算することによって、推薦対象者Ｘと現場監督者Ｋとの類似度を計算する。当該類似度の値は、両者のタスクが類似するほど小さくなる。【０２４５】
なお、他の方法を用いて推薦対象者Ｘと現場監督者Ｋとの類似度を計算してもよい。例えば、図２０に示すステップ２２０６〜２２０９の処理で説明したように、分割ルールの共通性に基づいて類似度が計算されてもよい。【０２４６】
次に、業務効率分析システム１２０は、現場監督者Ｋの現場監督者携帯端末１５０に表示される指標画面１２００（指標画面ｊ）に表示される各指標ｉの閲覧評価値８１６を、閲覧評価値Ｐｉ（Ｘ，ｊ）として取得する（２３０４）。そして、業務効率分析システム１２０は、ステップ２３０４の処理で取得した全ての閲覧評価値Ｐｉ（Ｘ，ｊ）の総和にステップ２３０３の処理で計算した類似度ｄの逆数を乗算した値を、現場監督者Ｋの指標画面１２００の推薦評価値Ｅｊとして計算する（２３０５）。【０２４７】
全ての現場監督者１０２にステップ２３０３〜２３０５の処理が実行されていない場合、ステップ２３０２の処理に戻り、業務効率分析システム１２０は、ステップ２３０３〜２３０５の処理が未だ実行されていない現場監督者１０２を選択し、選択した現場監督者１０２にステップ２３０３〜２３０５の処理を実行する。一方、全ての現場監督者１０２にステップ２３０３〜２３０５の処理が実行され、全ての現場監督者１０２の推薦評価値Ｅｊが計算された場合、ステップ２３０６の処理に進む。【０２４８】
業務効率分析システム１２０は、ステップ２３０３の処理で計算された類似度ｄを参照し、推薦対象者Ｘに類似する推薦現場監督者（Ｋ０〜Ｋｓ）の指標画面条件データ８００を選択する（２３０６）。具体的には、業務効率分析システム１２０は、類似度が所定値以下である現場監督者１０２を、推薦対象者Ｘに類似する推薦現場監督者として選択する。【０２４９】
次に、業務効率分析システム１２０は、ステップ２３０５の処理で計算された推薦評価値が所定値以上の現場監督者１０２の指標画面条件データ８００を推薦指標画面ｊ０〜ｊｍとして選択する（２３０７）。【０２５０】
次に、業務効率分析システム１２０は、ステップ２３０６の処理で選択した推薦現場監督者及びステップ２３０７の処理で選択した推薦指標画面を所定の初期位置に配置する（２３０８）。【０２５１】
次に、業務効率分析システム１２０は、要素間に斥力及び引力を設定して位置を調整するバネモデルを用いて推薦現場監督者及び推薦指標画面の位置を変更する（２３０９）。例えば、業務効率分析システム１２０は、推薦現場監督者と推薦対象者Ｘとの類似度ｄに基づいて推薦現場監督者を配置し、また、推薦指標画面を表示する現場監督者携帯端末１５０の現場監督者と推薦対象者Ｘとの類似度ｄに基づいて推薦指標画面を配置する。そして、業務効率分析システム１２０は、推薦指標画面の推薦評価値に基づいて推薦指標画面を表示する大きさを変更する。推薦対象者Ｘと類似する現場監督者ほど、推薦対象者Ｘに近い位置に配置される。また、推薦評価値が大きいほど推薦指標画面は大きく表示される。【０２５２】
なお、バネモデルを利用する代わりに、類似度及び推薦評価値を座標軸とした散布図を利用してもよいし、自己組織化マップを用いて配置位置を決定してもよい。【０２５３】
次に、業務効率分析システム１２０は、ステップ２３０９の処理で変更された推薦現場監督者及び推薦指標画面の位置、並びに、推薦指標画面の大きさを含む他指標推薦データを推薦対象者Ｘの現場監督者携帯端末１５０に送信する（２３１０）。推薦現場監督者及び推薦指標画面の位置は、推薦対象者Ｘと推薦現場監督者及び推薦指標画面が表示される現場監督者との類似度を示す。また、推薦指標画面の大きさは、推薦指標画面の閲覧評価値Ｐｉ（Ｘ，ｊ）の総和及び類似度ｄに基づいて計算された推薦評価値を示す。このため、他指標推薦データは、推薦現場監督者、当該推薦現場監督者の類似度、推薦指標画面、当該推薦指標画面の類似度ｄ、及び当該推薦指標画面の推薦評価値を含むものである。【０２５４】
推薦対象者Ｘの現場監督者携帯端末１５０は、他指標推薦データを受信した場合、図２４に示す他指標推薦画面２４００を表示する。他指標推薦画面２４００は、ステップ２３０９の処理で変更された位置で推薦現場監督者及び推薦指標画面を表示する画面であり、詳細は図２４で説明する。なお、現場監督者携帯端末１５０は、他指標推薦画面２４００で表示された推薦現場監督者又は推薦指標画面が選択操作された場合、選択操作ログを業務効率分析システム１２０に送信する。【０２５５】
業務効率分析システム１２０は、選択操作ログを受信したか否かを判定する（２３１１）。ステップ２３１１の処理で選択操作ログを受信したと判定された場合、業務効率分析システム１２０は、推薦対象者Ｘの指標画面条件データ８００を、選択操作された推薦現場監督者又は推薦指標画面の現場監督者１０２の指標画面条件データ８００に更新し（２３１２）、他指標推薦処理を終了する。【０２５６】
一方、ステップ２３１１の処理で選択操作ログを受信していないと判定された場合、業務効率分析システム１２０は、他指標推薦処理を終了する。【０２５７】
図２４は、実施例３の他指標推薦画面２４００の説明図である。【０２５８】
他指標推薦画面２４００は、推薦対象者Ｘの現場監督者携帯端末１５０が他指標推薦データを受信した場合に表示される。【０２５９】
他指標推薦画面２４００は、現場監督者アイコン２４０１〜２４０４、推薦指標画面アイコン２４１１〜２４２０、及び業務アイコン２４２１〜２４２３を含む。【０２６０】
現場監督者アイコン２４０１は推薦対象者Ｘを示すアイコンである。現場監督者アイコン２４０２〜２４０４はステップ２３０６の処理で選択された推薦現場監督者を示すアイコンである。推薦指標画面アイコン２４１１〜２４２０は、ステップ２３０７の処理出選択された推薦指標画面を示すアイコンである。【０２６１】
業務アイコン２４２１〜２４２３は、推薦指標画面アイコン２４１１〜２４２０が示す推薦指標画面が表示される現場監督者携帯端末１５０の現場監督者１０２が管理するタスクを含む業務の識別情報を表示する。【０２６２】
推薦対象者Ｘは、他指標推薦画面２４００を確認することによって、自分との関係性を考慮して、他の現場監督者１０２が使用している指標画面を選択でき、当該指標画面を自分の現場監督者１５０に表示させることができる。図２４では、推薦指標画面アイコン２４１１が選択される。この場合、推薦対象者Ｘの指標画面条件データ８００が、選択された指標画面の現場監督者１０２の指標画面条件データ８００に更新される。これによって、推薦対象者Ｘの指標画面１２００として選択された指標画面が表示されることになる。【０２６３】
以上によって、他指標推薦画面２４００には、推薦現場監督者が類似度ｄに基づいた位置で表示されるので、推薦対象者Ｘは、類似度ｄを考慮して、推薦現場監督者を選択できる。また、類似度ｄに基づいた位置及び推薦評価値に基づく大きさで推薦指標画面が表示されるので、推薦対象者Ｘは、類似度ｄ及び推薦評価値を考慮して、推薦指標画面を選択できる。これによって、推薦対象者Ｘは、自分により適切な指標画面１２００を現場監督者携帯端末１２０に表示させることができる。
【実施例４】
【０２６４】
本実施例では、総監督者端末１６０に表示される画面について説明する。実施例４について図２５及び図２６を用いて説明する。【０２６５】
本実施例では、総監督者端末１６０は、現場監督者携帯端末１５０と同様の画面が表示される。具体的には、総監督者端末１６０は、総監督者指標画面２５００を表示し、総監督者指標画面２５００で指標が選択された場合には、詳細画面１３００を表示する。詳細画面１３００が表示された後は、現場監督者携帯端末１５０と同じく対処策選択画面１４００、過去実施結果画面１５００、シミュレーション比較画面１６００、対処策実施サポート画面１７００、対処策終了サポート画面、及び他指標推薦画面２４００が表示される。【０２６６】
総監督者指標画面２５００が現場監督者携帯端末１５０に表示される指標画面１２００と相違するので、図２５を用いて説明する。総監督者指標画面２５００以外の画面は、現場監督者携帯端末１５０と同じであるので、説明を省略する。【０２６７】
図２５は、実施例４の総監督者指標画面２５００の説明図である。【０２６８】
総監督者指標画面２５００は、作業場所全体表示領域２５０１、生産性表示領域２５０２、追加・削除ボタン２０３、及び現場監督者指標表示領域２５１１〜２５１３を含む。【０２６９】
作業場所全体表示領域２５０１には、総監督者１０１が管理する全ての作業場所の全体図が表示される。生産性表示領域２５０２には、タスクの生産性の変動が表示される。なお、生産性表示領域２５０２には、指標値の変動が表示されてもよい。【０２７０】
現場監督者指標表示領域２５１１〜２５１３には、各作業場所を管理する現場監督者１０２の現場監督者携帯端末１５０に表示される指標画面１２００が表示される。現場監督者指標表示領域２５１１〜２５１３に表示される指標画面１２００は図１２と同じであるので、説明を省略する。現場監督者指標表示領域２５１１〜２５１３に表示された指標画面１２００で指標が選択された場合、当該指標の詳細画面１３００がポップアップ表示される。【０２７１】
また、現場監督者携帯端末１５０で詳細画面１３００が表示された場合、総監督者指標画面２５００の当該現場監督者携端末１５０に対応する現場監督者指標表示領域２５１１〜２５１３付近に詳細画面１３００がポップアップ表示される。現場監督者携帯端末１５０で何らかの画面が表示されると、当該現場監督者携端末１５０に対応する現場監督者指標表示領域２５１１〜２５１３付近に現場監督者携帯端末１５０で表示されている画面がポップアップ表示される。これによって、総監督者１０１は、現場監督者携帯端末１５０でどの画面が表示されているかを確認できる。【０２７２】
追加・削除ボタン２５０３が操作された場合、総監督者端末１６０は、追加可能な指標の指標一覧表２５２０がポップアップ表示される。なお、指標一覧表２５２０はチェックボックスを含み、チェックボックスには、指標が指標画面１２００に表示されているか否かを示す情報が表示される。図２５では、チェックボックスが黒く塗りつぶされている指標は指標画面１２００に表示されていることを示し、チェックボックスが黒く塗りつぶされていない指標は指標画面１２００に表示されていないことを示す。総監督者１０１が、黒く塗りつぶされているチェックボックスを選択した場合、当該チェックボックスの指標が指標画面１２００から削除される。この場合、業務効率分析システム１２０は、当該チェックボックスの指標を指標画面条件データ８００から削除する。また、総監督者１０１が、黒く塗りつぶされていないチェックボックスを選択した場合、当該チェックボックスの指標が指標画面１２００に追加される。この場合、業務効率分析システム１２０は、当該チェックボックスの指標を指標画面条件データ８００に追加する。【０２７３】
なお、指標の追加又は削除の操作は、他の方法（画面へのタッチ、マウスによるクリック、音声認識、ジェスチャ認識、手元のリモコン操作等）で実現してもよい。【０２７４】
図２６は、実施例４の課題条件確認画面２６００の説明図である。【０２７５】
総監督者端末１６０が、総監督者１０１からの課題条件確認画面２６００の表示操作を受け付けた場合、課題条件確認画面２６００を表示する。課題条件確認画面２６００は、総監督者１０１が複数の業務場所の状況を鑑み、優先して実施すべき対処策を判断するための画面である。【０２７６】
課題条件確認画面２６００は、現場監督者指標表示領域２５１１〜２５１３、警告アイコン２６１０、及び散布図表示領域２６２０を含む。【０２７７】
現場監督者指標表示領域２５１１〜２５１３は、図２５に示す現場監督者指標表示領域２５１１〜２５１３と同じなので、説明を省略する。【０２７８】
警告アイコン２６１０には、各現場監督者指標表示領域２５１１〜２５１３に表示された複数の指標が同時に散布図表示領域２６２０において警告レベルに達している場合に、アイコンが表示される。【０２７９】
総監督者１０１は、現状では発生することが確定されていないが、発生した場合に問題を引き起こす可能性がある状況について検討する必要がある。総監督者１０１は、現在の業務の状況、及び想定される業務の状況に対して、過去の類似した事例の状況推移及び問題発生を参考にして、現在の業務の状況の懸念点の検討の参考にする。【０２８０】
散布図表示領域２６２０には、総監督者１０１が問題の要因を特定し、問題を検討するための散布図が表示される。散布図表示領域２６２０に表示される散布図の要素の座標位置は、複数の指標値に基づいて決定される。例えば、注文先の店舗を要素とした場合、当該要素に関連付けられた取扱商品の構成種類、注文時刻、及び注文量等を指標値とする。この場合、各要素の指標値は多次元ベクトルで表現される。いくつかの着目した指標値を散布図表示領域２６２０の座標に設定して各要素を散布図表示すると、各要素の分状態を可視化でき、クラスタリングできる。散布図表示領域２６２０では、各要素を２６２１で示し、クラスタを２６２２で示す。【０２８１】
散布図表示領域２６２０に表示される散布図の座標として二つの指標を選択する代わりに、主成分分析等の方法を用いて各指標値の主な特徴成分を抽出し、２次元に射影して各要素を配置してもよい。また、時刻組織化マップ等の方法を用いて多次元情報を二次元で表示することによって各要素を配置してもよい。【０２８２】
総監督者１０１が、散布図表示領域２６２０に表示されたクラスタ２６２２が選択された場合、当該クラスタ２６２２に含まれる要素の指標値変化に相関して、各現場監督者指標表示領域２５１１〜２５１３で表示される指標のうち指標値が閾値以上悪化した過去の事例を集計し、集計結果を警告アイコン２６１０として表示する。【０２８３】
例えば、選択されたクラスタ２６２２に含まれる要素である店舗において注文量が増加した場合、ある現場監督者１０２が管理する作業場所で人員不足又はリソース不足等が発生した事例を集計し、当該事例の数だけ警告アイコン２６１０を表示する。総監督者１０１は、警告アイコン２６１０を懸念すべき点として検討の参考に用いることができる。【０２８４】
以上によって、総監督者端末１６０には、現場監督者１０２の現場監督者携帯端末１５０で表示される指標画面１２００を含む総監督者指標画面２５００が表示されるので、総監督者１０１は、現場監督者携帯端末１５０の指標画面１２００で表示される指標等を確認できる。また、総監督者指標画面２５００から各現場監督者１０２の指標画面１２００に表示される指標の追加、及び削除等もすることができる。【０２８５】
また、各実施例の構成の一部について、他の構成の追加・削除・置換をすることが可能である。また、上記の各構成、機能、処理部、処理手段などは、それらの一部または全部を、例えば集積回路で設計するなどによりハードウェアで実現してもよい。【０２８６】
また、前記の各構成、機能などは、プロセッサがそれぞれの機能を実現するプログラムを解釈し、実行することによりソフトウェアで実現してもよい。【０２８７】
各機能を実現するプログラム、テーブル、ファイルなどの情報は、メモリや、ハードディスク、ＳＳＤ（Solid State Drive）などの記録装置、または、ＩＣ（Integrated Circuit）カード、ＳＤカード、ＤＶＤ（Digital Versatile Disc）などの記録媒体に置くことができる。【０２８８】
また、制御線や情報線は説明上必要と考えられるものを示しており、製品上必ずしも全ての制御線や情報線を示しているとは限らない。実際にはほとんど全ての構成が相互に接続されていると考えてもよい。
【図１】
2016079782.tif 000003
【図２】
2016079782.tif 000004
【図３】
2016079782.tif 000005
【図４】
2016079782.tif 000006
【図５】
2016079782.tif 000007
【図６】
2016079782.tif 000008
【図７】
2016079782.tif 000009
【図８】
2016079782.tif 000010
【図９】
2016079782.tif 000011
【図１０】
2016079782.tif 000012
【図１１】
2016079782.tif 000013
【図１２】
2016079782.tif 000014
【図１３】
2016079782.tif 000015
【図１４】
2016079782.tif 000016
【図１５】
2016079782.tif 000017
【図１６】
2016079782.tif 000018
【図１７】
2016079782.tif 000019
【図１８】
2016079782.tif 000020
【図１９】
2016079782.tif 000021
【図２０】
2016079782.tif 000022
【図２１】
2016079782.tif 000023
【図２２】
2016079782.tif 000024
【図２３】
2016079782.tif 000025
【図２４】
2016079782.tif 000026
【図２５】
2016079782.tif 000027
【図２６】
2016079782.tif 000028
【手続補正書】
【提出日】平成29年2月22日(2017.2.22)
【手続補正１】
【補正対象書類名】特許請求の範囲
【補正対象項目名】請求項７
【補正方法】変更
【補正の内容】
【請求項７】
請求項１に記載の業務状況管理システムであって、
前記管理システムは、
前記端末に表示される指標値の指標が前記複数の端末ごとに登録された指標画面条件情報を記憶しており、
一の端末のユーザを選択し、
前記選択したユーザと他の端末のユーザとの類似度に基づいて、他の端末のユーザから推薦ユーザを選択し、
前記選択した推薦ユーザ、及び前記推薦ユーザの類似度を含む他指標推薦画面表示指示を前記一の端末に送信し、
前記一の端末は、
前記他指標推薦画面表示指示に含まれる前記推薦ユーザ、及び前記推薦ユーザの類似度を含む他指標推薦画面を表示し、
前記他指標推薦画面に表示されたいずれかの推薦ユーザの選択操作を受け付けた場合、前記受け付けた推薦ユーザの選択操作を示す推薦ユーザ選択操作ログを前記管理システムに送信し、
前記管理システムは、前記一の端末の指標画面条件情報を前記推薦ユーザ選択操作ログが示す選択操作がされた推薦ユーザの端末の指標画面条件情報に変更することによって、当該推薦ユーザの端末で表示される指標画面を前記一の端末が表示するように設定することを特徴とする業務状況管理システム。
【手続補正２】
【補正対象書類名】特許請求の範囲
【補正対象項目名】請求項９
【補正方法】変更
【補正の内容】
【請求項９】
請求項１に記載の業務状況管理システムであって、
前記複数の端末のユーザは作業現場の複数の作業員を管理する現場監督者であり、
前記業務状況管理システムは、前記複数のユーザを管理する総監督者がユーザとなる総監督者端末を備え、
前記管理システムは、前記総監督者が管理する全てのユーザの端末に送信する指標画面表示指示に含まれる情報を含む総監督者指標画面表示指示を、前記総監督者端末に送信し、
前記総監督者端末は、前記総監督者指標画面表示指示に基づいて、前記総監督者が管理する全てのユーザの端末で表示される指標画面を含む総監督者指標画面を表示することを特徴とする業務状況管理システム。
【手続補正３】
【補正対象書類名】特許請求の範囲
【補正対象項目名】請求項１３
【補正方法】変更
【補正の内容】
【請求項１３】
請求項１０に記載の業務状況管理方法であって、
前記管理システムは、前記端末に表示される指標値の指標が前記複数の端末ごとに登録された指標画面条件情報を記憶しており、
前記業務状況管理方法は、
前記管理システムが、一の端末のユーザを選択し、
前記管理システムが、前記選択したユーザと他の端末のユーザとの類似度に基づいて、他の端末のユーザから推薦ユーザを選択し、
前記管理システムが、前記選択した推薦ユーザ、及び前記推薦ユーザの類似度を含む他指標推薦画面表示指示を前記一の端末に送信し、
前記一の端末が、前記他指標推薦画面表示指示に含まれる前記推薦ユーザ、及び前記推薦ユーザの類似度を含む他指標推薦画面を表示し、
前記一の端末が、前記他指標推薦画面に表示されたいずれかの推薦ユーザの選択操作を受け付けた場合、前記受け付けた推薦ユーザの選択操作を示す推薦ユーザ選択操作ログを前記管理システムに送信し、
前記管理システムが、前記一の端末の指標画面条件情報を前記推薦ユーザ選択操作ログが示す選択操作がされた推薦ユーザの端末の指標画面条件情報に変更することによって、当該推薦ユーザの端末で表示される指標画面を前記一の端末が表示するように設定することを特徴とする業務状況管理方法。
【手続補正４】
【補正対象書類名】特許請求の範囲
【補正対象項目名】請求項１４
【補正方法】変更
【補正の内容】
【請求項１４】
請求項１０に記載の業務状況管理方法であって、
前記複数の端末のユーザは作業現場の複数の作業員を管理する現場監督者であり、
前記計算機システムは、前記複数のユーザを管理する総監督者がユーザとなる総監督者端末を備え、
前記業務状況管理方法は、
前記管理システムが、前記総監督者が管理する全てのユーザの端末に送信する指標画面表示指示に含まれる情報を含む総監督者指標画面表示指示を、前記総監督者端末に送信し、
前記総監督者端末が、前記総監督者指標画面表示指示に基づいて、前記総監督者が管理する全てのユーザの端末で表示される指標画面を含む総監督者指標画面を表示することを特徴とする業務状況管理方法。
【手続補正５】
【補正対象書類名】明細書
【補正対象項目名】０２６３
【補正方法】変更
【補正の内容】
【０２６３】
以上によって、他指標推薦画面２４００には、推薦現場監督者が類似度ｄに基づいた位置で表示されるので、推薦対象者Ｘは、類似度ｄを考慮して、推薦現場監督者を選択できる。また、類似度ｄに基づいた位置及び推薦評価値に基づく大きさで推薦指標画面が表示されるので、推薦対象者Ｘは、類似度ｄ及び推薦評価値を考慮して、推薦指標画面を選択できる。これによって、推薦対象者Ｘは、自分により適切な指標画面１２００を現場監督者携帯端末１５０に表示させることができる。
【手続補正６】
【補正対象書類名】明細書
【補正対象項目名】０２７１
【補正方法】変更
【補正の内容】
【０２７１】
また、現場監督者携帯端末１５０で詳細画面１３００が表示された場合、総監督者指標画面２５００の当該現場監督者携帯端末１５０に対応する現場監督者指標表示領域２５１１〜２５１３付近に詳細画面１３００がポップアップ表示される。現場監督者携帯端末１５０で何らかの画面が表示されると、当該現場監督者携帯端末１５０に対応する現場監督者指標表示領域２５１１〜２５１３付近に現場監督者携帯端末１５０で表示されている画面がポップアップ表示される。これによって、総監督者１０１は、現場監督者携帯端末１５０でどの画面が表示されているかを確認できる。
【国際調査報告】
2016079782.tif 000029
2016079782.tif 000030
2016079782.tif 000031